(57)【要約】【課題】障害釘の振動に依存することなく、簡単な構成にて、各障害釘に対する遊技球の衝突経路を、各発光素子の発光でもって、球衝突経路として良好に表示するようにした遊技盤を提供する。【解決手段】左側ユニットＵＬにおいて、支持板７０は、スタートチャッカー４０ｃの左側にて遊技板２０に形成した矩形状の左側組み付け穴部２１に嵌装支持されている。一連の障害釘５１ａ〜５１ｆは、支持板７０の幅方向中央部にその長手方向に沿い、所定の間隔をおいて板厚方向に打ち込まれている。導電膜８０は、一連の障害釘５１ａ〜５１ｆの各径方向一側に沿い支持板７０の表面に帯状に設けられている。各一連の発光ダイオード９０ａ〜９０ｆ、１００ａ〜１００ｆは、支持板７０の両凹所２１、２２内に挿通固定されている。遊技球が一連の障害釘５１ａ〜５１ｆを順次導電膜８０と接触させたとき、各両発光ダイオード９０ａ、１００ａ；〜；９０ｆ、１００ｆが順次発光する。【選択図】図３
2009022630.tif 000002
【特許請求の範囲】
【請求項１】
電気絶縁性遊技板と、
この遊技板の表面に分散して打ち込まれる多数の障害釘と、
遊技球が、前記多数の障害釘のうち所定の並び方向に並ぶ一連の障害釘のいずれかの障害釘と前記所定の並び方向の一側から衝突したとき、この衝突障害釘と前記遊技球を介し電気的に接続するように前記一連の障害釘の前記所定の並び方向の前記一側に沿い前記遊技板の表面に設けられる単一の導電膜と、
前記単一の導電膜の一部から前記遊技板を通りその裏面側に延出する単一の共通配線と、
前記遊技板に設けられる表示手段と、
前記遊技板の裏面側に設けられて前記遊技球を介する前記単一の導電膜の前記衝突障害釘との電気的接続に伴い前記単一の導電膜及び前記単一の共通配線を介し前記表示手段の前記一連の障害釘に対応する一連の表示部位のうち前記衝突障害釘に対する表示部位にて前記表示手段を表示作動させるように駆動制御する駆動制御手段とを備える遊技盤。
【請求項２】
直流電源と、
この直流電源と前記一連の障害釘との間に接続されて前記遊技球を介する前記単一の導電膜の前記衝突障害釘との電気的接続に伴い前記直流電源からの給電のもと前記衝突障害釘を特定する分圧電圧を出力する分圧手段と、
前記分圧手段が前記衝突障害釘を特定する分圧電圧を出力したとき、前記表示手段の前記一連の表示部位に対応するように予め定めた一連の照合電圧のうち前記分圧電圧に一致する照合電圧に基づき、この照合電圧に対応する前記表示部位を判定する表示部位判定手段とを備えて、
前記駆動制御手段は、前記表示部位判定手段により判定された表示部位にて前記表示手段を表示作動させるように駆動制御することを特徴とする請求項１に記載の遊技盤。
【請求項３】
直流電源と、
この直流電源と前記一連の障害釘の各々との間に接続した各一対の直列抵抗を備え、前記遊技球を介する前記単一の導電膜の前記衝突障害釘との電気的接続に伴い前記直流電源からの給電のもと前記衝突障害釘に対応する一対の抵抗から分圧電圧を出力する分圧手段と、
前記表示手段の前記一連の表示部位に対応するように定めた一連の照合電圧を予め記憶してなる記憶手段と、
前記単一の導電膜が前記遊技球により前記衝突障害釘と電気的に接続したとき、前記衝突障害釘と前記直流電源との間に接続した一対の直列抵抗、前記衝突障害釘及び前記単一の導電膜を介し前記直流電源から給電されてスイッチング作動するスイッチング手段と、
前記分圧手段が、前記スイッチング手段のスイッチング作動に応答して、前記衝突障害釘と前記直流電源との間に接続された前記一対の直列抵抗から、前記衝突障害釘を特定する分圧電圧を出力したとき、この分圧電圧を保持する分圧電圧保持手段と、
前記スイッチング手段のスイッチング作動に応答して所定時間幅にて時間幅信号を発生する時間幅信号発生手段と、
この時間幅信号発生手段からの時間幅信号の入力の有無を判定する時間幅信号入力判定手段と、
前記時間幅信号発生手段からの前記時間幅信号の入力有りと前記時間幅信号入力判定手段により判定されたとき、前記分圧電圧保持手段からの前記分圧電圧に基づきこの分圧電圧と一致する前記記憶手段の前記一連の照合電圧中の照合電圧に応じてこの照合電圧に対応する前記表示部位を判定する表示部位判定手段とを備えて、
前記駆動制御手段は、前記表示部位判定手段により判定された表示部位にて前記表示手段を表示作動させるように駆動制御することを特徴とする請求項１に記載の遊技盤。
【請求項４】
直流電源と、
この直流電源に直列接続されかつ互いに直列接続してなる一連の直列抵抗であってその一連の同一側端子の各々にて前記一連の障害釘の各々に接続してなる一連の直列抵抗を備え、前記遊技球を介する前記単一の導電膜の前記衝突障害釘との電気的接続に伴い前記直流電源からの給電のもと前記一連の同一側端子のうち前記衝突障害釘に対応する同一側端子から前記単一の導電膜を介し分圧電圧を出力する分圧手段と、
前記表示手段の前記一連の表示部位に対応するように定めた一連の照合電圧を予め記憶してなる記憶手段と、
前記分圧手段が前記単一の導電膜を介し前記衝突障害釘を特定する前記分圧電圧を出力したときこの分圧電圧に応答してスイッチング作動するスイッチング手段と、
前記分圧手段が前記衝突障害釘を特定する分圧電圧を出力したときこの分圧電圧を保持する分圧電圧保持手段と、
前記スイッチング手段のスイッチング作動に応答して所定時間幅にて時間幅信号を発生する時間幅信号発生手段と、
この時間幅信号発生手段からの時間幅信号の入力の有無を判定する時間幅信号入力判定手段と、
前記時間幅信号発生手段からの前記時間幅信号の入力有りと前記時間幅信号入力判定手段により判定されたとき、前記分圧電圧保持手段からの前記分圧電圧に基づきこの分圧電圧と一致する前記記憶手段の前記一連の照合電圧中の照合電圧に応じてこの照合電圧に対応する前記表示部位を判定する表示部位判定手段とを備えて、
前記駆動制御手段は、前記表示部位判定手段により判定された表示部位にて前記表示手段を表示作動させるように駆動制御することを特徴とする請求項１に記載の遊技盤。
【請求項５】
直流電源と、
この直流電源に直列接続されかつ互いに直列接続してなる一連の直列抵抗であってその一連の同一側端子の各々にて前記一連の障害釘の各々に接続してなる一連の直列抵抗を備え、前記遊技球を介する前記単一の導電膜の前記衝突障害釘との電気的接続に伴い前記直流電源からの給電のもと前記一連の同一側端子のうち前記衝突障害釘に対応する同一側端子から前記単一の導電膜を介し分圧電圧を出力する分圧手段と、
前記表示手段の前記一連の表示部位に対応するように定めた一連の照合電圧を順次繰り返し発生する照合電圧発生手段と、
前記分圧手段が前記単一の導電膜を介し前記衝突障害釘を特定する前記分圧電圧を出力したとき、この分圧電圧を前記照合電圧発生手段から発生する照合電圧と比較して、この照合電圧と前記分圧電圧との一致或いは不一致に基づき第１或いは第２の比較出力を発生する比較手段と、
この比較手段が前記分圧電圧を前記照合電圧発生手段から順次発生する各照合電圧と比較する過程において、前記比較手段の比較出力が前記第２比較出力から前記第１比較出力に変化したとき、当該第１比較出力の発生時に前記照合電圧発生手段から発生する照合電圧を決定する決定手段とを備えて、
前記駆動制御手段は、前記表示部位判定手段により判定された表示部位にて前記表示手段を表示作動させるように駆動制御することを特徴とする請求項１に記載の遊技盤。
【請求項６】
前記衝突障害釘と接続した同一側端子を有する抵抗を介しその同一側端子から、前記直流電源からの給電に基づき、前記衝突障害釘を特定する分圧電圧を発生したとき、この分圧電圧を保持する電圧保持手段を備えて、
前記比較手段は、前記電圧保持手段により保持した前記分圧電圧を、前記照合電圧発生手段から発生する照合電圧と比較するようにしたことを特徴とする請求項５に記載の遊技盤。
【発明の詳細な説明】
【技術分野】
【０００１】
本発明は、パチンコ遊技機、アレンジボール遊技機または雀球遊技機等の各種の遊技機において球衝突経路を表示するに適した遊技盤に関する。
【背景技術】
【０００２】
この種の遊技盤としては、下記特許文献１に記載のパチンコ遊技機に採用してなる遊技盤が提案されている。この遊技盤においては、通電素材からなる多数の障害釘が、その各首下部にて、当該遊技盤に対しその表面から打ち込まれている。また、光ファイバー、リング状の通電板、発光体、通電コード及び通電電源部が、上述の多数の障害釘に対して、障害釘毎に設けられている。
【０００３】
そこで、上述の多数の障害釘のうちの一障害釘を例にとり、この一障害釘に対する光ファイバー、リング状の通電板、発光体、通電コード及び通電電源部の構成について説明する。
【０００４】
光ファイバーは、上記一障害釘に挿通されており、この光ファイバーは、その先端部にて、上記一障害釘の先端発光部に位置している。また、当該光ファイバーは、その後端部を、上記一障害釘の首下部から遊技盤を通りその裏面側に露出させて、遊技盤の裏面に設けた発光体に指向させている。また、リング状の通電板は、上記一障害釘に対し遊技盤の表面に沿いリング状の間隙部をおくように、当該一障害釘と同心的に遊技盤の表面に設けられている。
【０００５】
発光体及び通電電源部は、遊技盤の裏側に配設されており、発光体は、その両側端子にて、上記一障害釘の首下部及び通電電源部の一側端子にそれぞれ接続されている。通電コードは、遊技盤のうち上記一障害釘の近傍部位に形成した貫通孔部にその裏面側から挿通されており、この通電コードは、通電板の一部と通電電源部の他側端子との間に接続されている。
【０００６】
従って、パチンコ球が上記一障害釘に衝突したとき、このパチンコ球が上記一障害釘と通電板との双方に同時に接触すれば、発光体が、通電電源部により通電コード、パチンコ球及び上記一障害釘を介し通電されて、発光する。これに伴い、光ファイバーが、発光体からの光を導入して、上記一障害釘の先端発光部にて、発光する。
【特許文献１】特開2000-225237号公報
【特許文献２】実開昭61-31485号公報
【発明の開示】
【発明が解決しようとする課題】
【０００７】
しかしながら、上述の遊技盤においては、光ファイバー自体は本来の光源ではないため、発光体が、本来の光源として、上述のごとく、遊技盤の裏面側に設けられている。このため、光ファイバー及び発光体の双方が障害釘毎に必須の構成素子となり、遊技盤としての構成が複雑になるという不具合が生ずる。
【０００８】
また、上述のように光ファイバーを障害釘に挿通するためには、当該障害釘の外径が小さいにもかかわらず、障害釘毎に、その軸方向に沿い貫通孔部を形成するという困難な作業が必須となるのは勿論のこと、上述のように貫通孔部を形成した上で、光ファイバーを障害釘の貫通孔部に挿通するという面倒な作業が必須となるという不具合が発生する。
【０００９】
また、上述のごとく、パチンコ球が障害釘に衝突したときに発光体に通電するため、通電板が障害釘毎に遊技盤の表面に別々に形成され、かつ、通電コードが、障害釘毎に、遊技盤の貫通孔部に挿通するように設けられている。このことは、遊技盤としての構成をさらに複雑にするという不具合を招く。
【００１０】
これに対しては、上記特許文献２に記載のパチンコ遊技機に採用してなる遊技盤が提案されている。この遊技盤では、振動感知器、発光器及び電気回路が、上記特許文献１と同様に遊技盤に打ち込まれた多数の障害釘に対し、障害釘毎に設けられている。
【００１１】
そこで、上記特許文献１と同様に、一障害釘を例にとり、この一障害釘に対する発光器、振動感知器及び電気回路の構成について説明すると、発光器は、上記一障害釘と隣り合うように、遊技盤にその表面側から設けられている。従って、パチンコ球により衝突された一障害釘が、当該一障害釘自体ではなく、その近傍の発光器の発光でもって認識されるものの、上記特許文献１における光ファイバーやこの光ファイバーを障害釘に挿通する構成が不要となる。
【００１２】
しかしながら、上記特許文献２の遊技盤では、振動感知器が、遊技盤の裏側にて上記一障害釘の首下部に設けられて、パチンコ球の上記一障害釘への衝突による当該一障害釘の振動を感知するようになっている。
【００１３】
このため、当該遊技盤を採用したパチンコ遊技機を配設した遊技ホールで発生する色々の外乱振動が当該遊技盤の上記一障害釘に伝わると、パチンコ球の衝突による上記一障害釘の振動だけではなく、上述の外乱振動までもが、振動感知器により感知されるという不具合を招く。
【００１４】
また、電気回路は、振動感知器の感知信号を増幅して発光器を発光させるべく当該発光器に出力するようになっている。
【００１５】
しかしながら、このように、電気回路でもって、単に、振動感知器の感知信号を増幅するだけでは、当該感知信号が上述の外乱振動をも含む信号のままで電気回路により増幅されてしまう。その結果、発光器は、パチンコ球の衝突による障害釘の振動だけでなく、上述の外乱振動によっても、発光してしまい、球衝突経路の認識が良好にはなされ難いという不具合を招く。
【００１６】
そこで、本発明は、以上のようなことに対処するため、障害釘の振動に依存することなく、簡単な構成にて、各障害釘に対する遊技球の衝突経路を良好に表示するようにした遊技盤を提供することを目的とする。
【課題を解決するための手段】
【００１７】
上記課題の解決にあたり、本発明に係る遊技盤は、請求項1の記載によれば、
電気絶縁性遊技板（２０、７０、１２０）と、
この遊技板の表面に分散して打ち込まれる多数の障害釘（５０）と、
遊技球（Ｓ）が、多数の障害釘のうち所定の並び方向に並ぶ一連の障害釘（５１ａ〜５１ｆ、５２ａ〜５２ｆ）のいずれかの障害釘と上記所定の並び方向の一側から衝突したとき、この衝突障害釘と遊技球を介し電気的に接続するように一連の障害釘の上記所定の並び方向の上記一側に沿い遊技板の表面に設けられる単一の導電膜（８０、１３０）と、
単一の導電膜の一部から遊技板を通りその裏面側に延出する単一の共通配線（１８０ａ、１８０ｂ）と、
遊技板に設けられる表示手段（６０、９０ａ〜９０ｆ、１００ａ〜１００ｆ、１４０ａ〜１４０ｆ、１５０ａ〜１５０ｆ）と、
遊技板の裏面側に設けられて遊技球を介する単一の導電膜の上記衝突障害釘との電気的接続に伴い単一の導電膜及び単一の共通配線を介し表示手段の一連の障害釘に対応する一連の表示部位のうち上記衝突障害釘に対する表示部位にて表示手段を表示作動させるように駆動制御する駆動制御手段（１７０、３１１〜３１６、３２１〜３２６、２３０ａ〜２３０ｆ、２６０ａ〜２６０ｆ）とを備える。
【００１８】
これによれば、表示手段が、その各表示部位により、従来技術にて述べた光ファイバーのような余分な構成部材に依存することなく、直接、表示することとなる。しかも、表示手段は、上述のように一連の障害釘とは別体であることから、従来技術にて述べたような光ファイバーの障害釘に対する挿通する構成や作業が不要となる。
【００１９】
その結果、当該遊技盤をパチンコ遊技機等の遊技機に採用すれば、パチンコ遊技機としての構成や組み立て作業が従来よりもより一層簡単になる。
【００２０】
また、上述のごとく、障害釘が遊技球の衝突により電気的に接続される導電膜が、一連の障害釘に共通となるように、単一に構成されているから、従来技術で述べたように障害釘毎に通電板を設ける構成は不要となる。これに伴い、単一の導電膜を遊技板の裏側に設けた駆動制御手段と電気的に接続する接続部材が、従来技術で述べたように障害釘毎に通電コードを設ける必要もなく、単一の共通配線のみで済む。従って、遊技盤としての構成、ひいては、遊技機としての構成が、さらに簡単になる。
【００２１】
また、遊技球の障害釘との衝突に伴う表示手段の表示部位による表示が、従来技術にて述べたような振動感知器の感知信号及びこの感知信号を増幅する電気回路とは異なり、遊技球を介する障害釘と単一の導電膜との電気的接続でもってなされる。従って、当該遊技盤を設けた遊技機が、遊技ホールに配設されたとき、表示手段は、当該遊技ホールで生ずる遊技球の障害釘との衝突以外の外乱振動とは係わりなく、遊技球の障害釘との衝突のみに応答して正しく表示し得る。その結果、遊技球の衝突経路が良好に認識され得る。
【００２２】
以上述べたことから分かるように、当該遊技盤によれば、障害釘の振動に依存することなく、簡単な構成にて、各障害釘に対する遊技球の衝突経路を、表示手段の表示部位による表示でもって、球衝突経路として良好に表示し得るという相乗的な作用効果が達成され得る。
【００２３】
また、本発明は、請求項２の記載によれば、請求項１に記載の遊技盤において、
直流電源（Ｖｃ）と、
この直流電源と一連の障害釘との間に接続されて遊技球を介する単一の導電膜の上記衝突障害釘との電気的接続に伴い直流電源からの給電のもと上記衝突障害釘を特定する分圧電圧を出力する分圧手段（２００ａ、２００ｂ、３５０、３６０）と、
分圧手段が上記衝突障害釘を特定する分圧電圧を出力したとき、表示手段の上記一連の表示部位に対応するように予め定めた一連の照合電圧のうち上記分圧電圧に一致する照合電圧に基づき、この照合電圧に対応する上記表示部位を判定する表示部位判定手段（３００、３１０、３２０）とを備えて、
駆動制御手段は、表示部位判定手段により判定された表示部位にて表示手段を表示作動させるように駆動制御することを特徴とする。
【００２４】
このように、遊技球が障害釘に衝突したときこの障害釘を特定する分圧電圧を発生する分圧手段及び表示手段の上記一連の表示部位に対応するように予め定めた一連の照合電圧を利用して、分圧手段からの分圧電圧及び上記一連の照合電圧のうち上記分圧電圧に一致する照合電圧でもって衝突障害釘に対応する表示部位にて表示手段を表示作動させる。これにより、表示手段が衝突障害釘に対応する表示部位にて確実に表示作動され得る。その結果、分圧手段及び一連の照合電圧のもと、請求項１に記載の発明の作用効果がより一層向上され得る。
【００２５】
また、本発明は、請求項３の記載によれば、請求項１に記載の遊技盤において、
直流電源（Ｖｃ）と、
この直流電源と一連の障害釘の各々との間に接続した各一対の直列抵抗（２０１ａ、２０２ａ；〜；２０１ｆ、２０２ｆ、２４１ａ、２４２ａ；〜；２４１ｆ、２４２ｆ）を備え、遊技球を介する単一の導電膜の上記衝突障害釘との電気的接続に伴い直流電源からの給電のもと上記衝突障害釘に対応する一対の抵抗から分圧電圧を出力する分圧手段（２００ａ、２００ｂ）と、
表示手段の上記一連の表示部位に対応するように定めた一連の照合電圧を予め記憶してなる記憶手段と、
単一の導電膜が遊技球により上記衝突障害釘と電気的に接続したとき、上記衝突障害釘と直流電源との間に接続した一対の直列抵抗、上記衝突障害釘及び単一の導電膜を介し直流電源から給電されてスイッチング作動するスイッチング手段（２１０ａ、２５０ａ）と、
分圧手段が、スイッチング手段のスイッチング作動に応答して、上記衝突障害釘と直流電源との間に接続された一対の直列抵抗から、上記衝突障害釘を特定する分圧電圧を出力したとき、この分圧電圧を保持する分圧電圧保持手段（２２１〜２２４）と、
スイッチング手段のスイッチング作動に応答して所定時間幅にて時間幅信号を発生する時間幅信号発生手段（２１０、２５０）と、
この時間幅信号発生手段からの時間幅信号の入力の有無を判定する時間幅信号入力判定手段（２７０、２８０）と、
時間幅信号発生手段からの上記時間幅信号の入力有りと時間幅信号入力判定手段により判定されたとき、分圧電圧保持手段からの上記分圧電圧に基づきこの分圧電圧と一致する記憶手段の上記一連の照合電圧中の照合電圧に応じてこの照合電圧に対応する上記表示部位を判定する表示部位判定手段（３００、３１０、３２０）とを備えて、
駆動制御手段は、表示部位判定手段により判定された表示部位にて表示手段を表示作動させるように駆動制御することを特徴とする。
【００２６】
このように、直流電源と一連の障害釘の各々との間に接続した各一対の直列抵抗を有する分圧手段のもと、上述のように構成したスイッチング手段、分圧電圧保持手段、時間幅信号発生手段及び時間幅信号入力判定手段により、表示部位判定手段が、分圧電圧保持手段からの上記分圧電圧に基づきこの分圧電圧と一致する記憶手段の上記一連の照合電圧中の照合電圧に応じてこの照合電圧に対応する表示手段の表示部位を判定する。
【００２７】
ここで、分圧電圧保持手段が、上記衝突障害釘と直流電源との間に接続した一対の直列抵抗が、スイッチング手段のスイッチング作動に応答して上記衝突障害釘を特定する分圧電圧を発生したとき、この分圧電圧を保持し、かつ、時間幅信号発生手段がスイッチング手段のスイッチング作動に応答して所定時間幅にて時間幅信号を発生する。
【００２８】
このため、遊技球の障害釘との衝突時間が一瞬の間にすぎなくても、これに影響されることなく、分圧電圧が分圧電圧保持手段により保持されるとともに時間幅信号発生手段からの時間幅信号の発生が所定時間幅の間維持される。従って、例えば、表示部位判定手段が処理速度の遅いマイクロコンピュータで構成されていても、表示部位判定手段による表示部位の判定が確実になされ得る。その結果、請求項１に記載の発明の作用効果がより一層向上され得る。
【００２９】
また、本発明は、請求項４の記載によれば、請求項１に記載の遊技盤において、
直流電源（Ｖｃ）と、
この直流電源に直列接続されかつ互いに直列接続してなる一連の直列抵抗であってその一連の同一側端子の各々にて一連の障害釘の各々に接続してなる一連の直列抵抗（３５１〜３５７、３６１〜３６７）を備え、遊技球を介する単一の導電膜の上記衝突障害釘との電気的接続に伴い直流電源からの給電のもと上記一連の同一側端子のうち上記衝突障害釘に対応する同一側端子から単一の導電膜を介し分圧電圧を出力する分圧手段（３５０、３６０）と、
表示手段の上記一連の表示部位に対応するように定めた一連の照合電圧を予め記憶してなる記憶手段と、
分圧手段が単一の導電膜を介し上記衝突障害釘を特定する上記分圧電圧を出力したときこの分圧電圧に応答してスイッチング作動するスイッチング手段（２１０ａ、２５０ａ）と、
分圧手段が上記衝突障害釘を特定する分圧電圧を出力したときこの分圧電圧を保持する分圧電圧保持手段（２２１〜２２４）と、
スイッチング手段のスイッチング作動に応答して所定時間幅にて時間幅信号を発生する時間幅信号発生手段（２１０、２５０）と、
この時間幅信号発生手段からの時間幅信号の入力の有無を判定する時間幅信号入力判定手段（２７０、２８０）と、
時間幅信号発生手段からの上記時間幅信号の入力有りと時間幅信号入力判定手段により判定されたとき、分圧電圧保持手段からの上記分圧電圧に基づきこの分圧電圧と一致する記憶手段の上記一連の照合電圧中の照合電圧に応じてこの照合電圧に対応する上記表示部位を判定する表示部位判定手段（３００、３１０、３２０）とを備えて、
駆動制御手段は、表示部位判定手段により判定された表示部位にて表示手段を表示作動させるように駆動制御することを特徴とする。
【００３０】
このように、分圧手段として、請求項３に記載の構成とは異なり、上記構成の一連の直列抵抗を採用しても、スイッチング手段及び分圧電圧保持手段を、請求項３に記載の構成とは異なり上述のように構成することで、表示部位判定手段による表示部位の判定がなされ得る。これによっても、請求項３に記載の発明と実質的に同様の作用効果が達成され得る。
【００３１】
また、本発明は、請求項５の記載によれば、請求項１に記載の遊技盤において、
直流電源（Ｖｃ）と、
この直流電源に直列接続されかつ互いに直列接続してなる一連の直列抵抗であってその一連の同一側端子の各々にて一連の障害釘の各々に接続してなる一連の直列抵抗（３５１〜３５７、３６１〜３６７）を備え、遊技球を介する単一の導電膜の上記衝突障害釘との電気的接続に伴い直流電源からの給電のもと上記一連の同一側端子のうち上記衝突障害釘に対応する同一側端子から単一の導電膜を介し分圧電圧を出力する分圧手段（３５０、３６０）と、
表示手段の上記一連の表示部位に対応するように定めた一連の照合電圧を順次繰り返し発生する照合電圧発生手段（４２０、４３０、４２０ａ、４３０ａ、２２０）と、
分圧手段が単一の導電膜を介し上記衝突障害釘を特定する上記分圧電圧を出力したとき、この分圧電圧を照合電圧発生手段から発生する照合電圧と比較して、この照合電圧と上記分圧電圧との一致或いは不一致に基づき第１或いは第２の比較出力を発生する比較手段（４４０、４５０）と、
この比較手段が上記分圧電圧を照合電圧発生手段から順次発生する各照合電圧と比較する過程において、比較手段の比較出力が上記第２比較出力から上記第１比較出力に変化したとき、当該第１比較出力の発生時に照合電圧発生手段から発生する照合電圧を決定する決定手段（３７０）とを備えて、
駆動制御手段は、表示部位判定手段により判定された表示部位にて表示手段を表示作動させるように駆動制御することを特徴とする。
【００３２】
このように、請求項４に記載の構成とは異なり、上述のような構成の分圧手段、照合電圧発生手段、比較手段及び決定手段を採用しても、表示部位判定手段が、決定手段により決定された照合電圧に基づきこれに対応する表示部位を判定することで、請求項４に記載の発明と実質的に同様の作用効果が達成され得る。
【００３３】
また、本発明は、請求項６の記載によれば、請求項５に記載の遊技盤において、
上記衝突障害釘と接続した同一側端子を有する抵抗を介しその同一側端子から、直流電源からの給電に基づき、上記衝突障害釘を特定する分圧電圧を発生したとき、この分圧電圧を保持する電圧保持手段（４００、４１０）を備えて、
比較手段は、電圧保持手段により保持した上記分圧電圧を、照合電圧発生手段から発生する照合電圧と比較するようにしたことを特徴とする。
【００３４】
これによれば、遊技球の障害釘との衝突時間が一瞬の間にすぎなくても、これに影響されることなく、分圧電圧が電圧保持手段により保持される。従って、上述のような比較手段による比較が確実になされ得る。その結果、請求項５に記載の発明の作用効果がより一層向上され得る。
【００３５】
なお、上記各手段の括弧内の符号は、後述する実施形態に記載の具体的手段との対応関係を示すものである。
【発明を実施するための最良の形態】
【００３６】
以下、本発明の各実施形態を図面により説明する。
（第１実施形態）
図１は、本発明を適してなるパチンコ遊技機の第1実施形態を示している。このパチンコ遊技機は、パチンコホール内の島に他のパチンコ遊技機とともに立設されるもので、当該パチンコ遊技機は、機枠Ｆ、遊技機本体Ｂ及び前扉Ｄを備えている。なお、機枠Ｆは、上記島において上板と下板（図示しない）との間に挟持されて支持される。また、前扉Ｄは、遊技機本体Ｂの板状本体枠Ｂａ（後述する）とともに機枠Ｆにその前後方向に開閉可能に支持されている。
【００３７】
遊技機本体Ｂは、板状本体枠Ｂａ及び遊技盤Ｂｂを備えている。遊技盤Ｂｂは、遊技板２０を有しており、この遊技板２０は、互いに積層した複数のベニア板に化粧板を貼り付けて構成されて、板状本体枠Ｂａの中空部に嵌装されている。なお、遊技板２０の表面、即ち上記化粧板の表面は遊技盤Ｂｂの盤面に相当する。
【００３８】
また、遊技盤Ｂｂは、図２にて示すごとく、ガイドレール３０、スルーチャッカー４０ａ、ゲート４０ｂ、スタートチャッカー４０ｃ、アタッカー４０ｄ並びに障害釘群５０を有する。
【００３９】
スルーチャッカー４０ａは、遊技板２０の中央開口部の中心の直下にて遊技盤Ｂｂの盤面に取付けられている。ゲート４０ｂは、遊技板２０の中央開口部の左側にて遊技盤Ｂｂの盤面に取付けられている。スタートチャッカー４０ｃは、スルーチャッカー４０ａの直下にて遊技盤Ｂｂの盤面に取付けられている。アタッカー４０ｄは、スタートチャッカー４０ｃの直下にて遊技盤Ｂｂの盤面に取付けられている。
【００４０】
障害釘群５０は、左右両側ユニットＵＬ、ＵＲ（後述する）の各一連の障害釘５１ａ〜５１ｆ、５２ａ〜５２ｆ並びに残りの多数の障害釘５３でもって構成されている。各一連の障害釘５１ａ〜５１ｆ及び５２ａ〜５２ｆは、後述のごとく左右両側ユニットＵＬ、ＵＲの各支持板７０、１２０に打ち込まれている。多数の障害釘５３は、図２に示すごとく、遊技盤Ｂｂの盤面のうちガイドレール３０の内周側の領域において分散して打ち込まれている。
【００４１】
また、遊技盤Ｂｂは、図２に示すごとく、図柄表示装置６０を有しており、この図柄表示装置６０は、遊技板２０の中央開口部に嵌装されている。
【００４２】
また、遊技盤Ｂｂは球衝突経路表示装置Ｕを備えている。この球衝突経路表示装置Ｕは、左右両側ユニットＵＬ、ＵＲを有しており、これら左右両側ユニットＵＬ、ＵＲは、遊技板２０に対し、スタートチャッカー４０ｃを基準とし、左右対称的に以下のごとく組み込まれている。
【００４３】
左側ユニットＵＬは、図３にて示すごとく、矩形状の支持板７０、上述した一連の障害釘５１ａ〜５１ｆ、導電膜８０、一側及び他側の各一連の発光ダイオード９０ａ〜９０ｆ、１００ａ〜１００ｆ並びに一側及び他側の各透明カバー１１０ａ、１１０ｂを備えている。
【００４４】
支持板７０は、図３及び図４に示すごとく、遊技板２０の矩形状の左側組み付け穴部２１に嵌装されており、この支持板７０は、その各前側フランジ部にて、各ネジ７４によって、遊技板２０の左側組み付け穴部２１の幅方向両側縁部にその前面側から締着支持されている。ここで、矩形状の左側組み付け穴部２１は、図３に示すごとく、スタートチャッカー４０ｃの左側部位近傍から左上方に向け傾斜するように、遊技板２０に貫通状に形成されている。なお、支持板７０は、電気絶縁材料（例えば、積層ベニヤ板）でもって形成されている。
【００４５】
一連の障害釘５１ａ〜５１ｆは、その各首下部にて、支持板７０の幅方向中央部にその長手方向（所定の並び方向）に沿い、所定の間隔をおいて板厚方向に打ち込まれている。なお、図３にて例示するごとく、一連の障害釘５１ａ〜５１ｆは、その各先端部にて、遊技板２０の裏面側を臨むように、遊技板２０のうち各障害釘５１ａ〜５１ｆの先端部よりも裏面側部位は、貫通状に形成されている（図４参照）。
【００４６】
導電膜８０は、図３にて示すごとく、一連の障害釘５１ａ〜５１ｆの各径方向一側（上記所定の並び方向の一側）に沿い支持板７０の表面に所定の幅でもって帯状に設けられている。この導電膜８０は、その幅方向一側縁部にて、一連の障害釘５１ａ〜５１ｆとの間に、間隙を形成するように設けられている。これにより、導電膜８０は、一連の障害釘５１ａ〜５１ｆから電気的に絶縁される。また、導電膜８０の幅は、遊技球Ｓを、障害釘５１ａ〜５１ｆのいずれかと導電膜８０との双方に同時に接触させるように選定されている。なお、導電膜８０の表面は、遊技盤Ｂｂの盤面と同一平面内にある。
【００４７】
一側の一連の発光ダイオード９０ａ〜９０ｆは、支持板７０にその表面側から形成した一側凹所７１ａ内にてその底壁に挿通固定されており、当該一連の発光ダイオード９０ａ〜９０ｆの各発光部９１ａ〜９１ｆは一側凹所７１ａ内に露出している。また、他側の一連の発光ダイオード１００ａ〜１００ｆは、支持板７０にその表面側から形成した他側凹所７１ｂ内にて、その底壁に挿通固定されており、当該一連の発光ダイオード１００ａ〜１００ｆの各発光部１０１ａ〜１０１ｆは他側凹所７１ｂ内に露出している。
【００４８】
ここで、一連の発光ダイオード１００ａ〜１００ｆの各々は、それぞれ、一連の障害釘５１ａ〜５１ｆの各々を介し一連の発光ダイオード９０ａ〜９０ｆの各々に対応するように位置している。一例を挙げれば、発光ダイオード１００ａは、障害釘５１ａを介し発光ダイオード９０ａに対応するように位置している。なお、一側凹所７１ａは、一連の障害釘５１ａ〜５１ｆの径方向一側（上記所定の並び方向の一側）にて導電膜８０に沿い支持板７０に形成されており、他側凹所７１ｂは、一連の障害釘５１ａ〜５１ｆの径方向他側（上記所定の並び方向の他側）にて一連の障害釘５１ａ〜５１ｆに沿い支持板７０に形成されている。
【００４９】
一側透明カバー１１０ａは、一側凹所７１ａの開口部に嵌めこまれて、一連の発光ダイオード９０ａ〜９０ｆの各発光部９１ａ〜９１ｆを覆蓋する。また、他側透明カバー１１０ｂは、他側凹所７１ｂの開口部に嵌めこまれて、一連の発光ダイオード１００ａ〜１００ｆの各発光部１０１ａ〜１０１ｆを覆蓋する。
【００５０】
右側ユニットＵＲは、スタートチャッカー４０ｃの左右方向中心を基準にして、左側ユニットＵＬとは対称的な構造を有するように構成されており、当該右側ユニットＵＲは、図３にて示すごとく、左側ユニットＵＬの支持板７０、一連の障害釘５１ａ〜５１ｆ、導電膜８０、各一連の発光ダイオード９０ａ〜９０ｆ、１００ａ〜１００ｆ及び両透明カバー１１０ａ、１１０ｂにそれぞれ対応する支持板１２０、一連の障害釘５２ａ〜５２ｆ、導電膜１３０、各一連の発光ダイオード１４０ａ〜１４０ｆ、１５０ａ〜１５０ｆ及び両側透明カバー１６０ａ、１６０ｂを備えている。
【００５１】
そして、これら支持板１２０、一連の障害釘５２ａ〜５２ｆ、導電膜１３０、各一連の発光ダイオード１４０ａ〜１４０ｆ、１５０ａ〜１５０ｆ及び両側透明カバー１６０ａ、１６０ｂは、スタートチャッカー４０ｃの左右方向中心を基準として、左側ユニットＵＬの支持板７０、一連の障害釘５１ａ〜５１ｆ、導電膜８０、各一連の発光ダイオード９０ａ〜９０ｆ、１００ａ〜１００ｆ及び両透明カバー１１０ａ、１１０ｂとは対称的に構成されている。
【００５２】
なお、支持板１２０は、支持板７０と実質的に同様に、図３に示すごとく、遊技板２０の矩形状の右側組み付け穴部２２に嵌装支持されている。ここで、矩形状の右側組み付け穴部２２は、図３に示すごとく、支持板７０と同様の形成材料でもって、矩形状の左側組み付け穴部２１とは対称的に遊技板２０に形成されている。
【００５３】
また、導電膜１３０は、導電膜８０と同様の役割を果たすもので、この導電膜１３０は、図３にて示すごとく、スタートチャッカー４０ｃの左右方向中心を基準に、導電膜８０とは対称的な位置にて、一連の障害釘５２ａ〜５２ｆの各径方向一側に沿い支持板１２０の表面に帯状に設けられている。
【００５４】
駆動制御回路Ｅは、発光駆動回路１７０を備えており、この発光駆動回路１７０は、各一連の発光ダイオード９０ａ〜９０ｆ、１００ａ〜１００ｆ、１４０ａ〜１４０ｆ及び１５０ａ〜１５０ｆのうちのいずれか２つの対応発光ダイオード（例えば、両対応発光ダイオード９０ａ、１００ａ）を同時に発光駆動制御するものである。当該発光駆動回路１７０は、両支持板７０、１２０の一方の裏面に配設されており、この発光駆動回路１７０は、その入力端子にて、直流電源Ｖｃの正側端子に接続されている。また、当該発光駆動回路１７０は、その出力端子にて、単一の共通配線１８０ａを介し導電膜８０に接続されるとともに、単一の共通配線１８０ｂを介し導電膜１３０に接続されている。なお、直流電源Ｖｃは、支持板７０の裏面側に配設されている。
【００５５】
ここで、単一の共通配線１８０ａは、支持板７０の一部にてその板厚方向に形成した貫通孔部（図示しない）に挿通されている。これにより、この単一の共通配線１８０ａは、その一端にて、導電膜８０の一部に接続されており、当該単一の共通配線１８０ａの他端は、発光駆動回路１７０の出力端子に接続されている。また、単一の共通配線１８０ｂは、支持板１２０の一部にてその板厚方向に形成した貫通孔部（図示しない）に挿通されている。これにより、この単一の共通配線１８０ｂは、その一端にて、導電膜１３０の一部に接続されており、当該単一の共通配線１８０ｂの他端は、発光駆動回路１７０の出力端子に接続されている。
【００５６】
また、上述のように各一連の発光ダイオードのうちのいずれか２つの対応発光ダイオードを同時に発光駆動制御するために、左側ユニットＵＬでは、上述のように互いに対応する各両発光ダイオード９０ａ、１００ａ；９０ｂ、１００ｂ；９０ｃ、１００ｃ；９０ｄ、１００ｄ；９０ｅ、１００ｅ及び９０ｆ、１００ｆは、互いに対応する両発光ダイオード毎に並列接続されている。
【００５７】
また、両発光ダイオード９０ａ、１００ａは、その各アノードにて、障害釘５１ａの先端部に接続されるとともに、両発光ダイオード９０ｂ、１００ｂは、その各アノードにて、障害釘５１ｂの先端部に接続されている。両発光ダイオード９０ｃ、１００ｃは、その各アノードにて、障害釘５１ｃの先端部に接続されるとともに、両発光ダイオード９０ｄ、１００ｄは、その各アノードにて、障害釘５１ｄの先端部に接続されている。また、両発光ダイオード９０ｅ、１００ｅは、その各アノードにて、障害釘５１ｅの先端部に接続されるとともに、両発光ダイオード９０ｆ、１００ｆは、その各アノードにて、障害釘５１ｆの先端部に接続されている。なお、各発光ダイオード９０ａ〜９０ｆ、１００ａ〜１００ｆのカソードは、共に、共通端子板からなる接地用共通端子１９０に接続されている。
【００５８】
また、右側ユニットＵＲでは、上述のように互いに対応する各両発光ダイオード１４０ａ、１５０ａ；１４０ｂ、１５０ｂ；１４０ｃ、１５０ｃ；１４０ｄ、１５０ｄ；１４０ｅ、１５０ｅ及び１４０ｆ、１５０ｆは、互いに対応する両発光ダイオード毎に並列接続されている。
【００５９】
また、両発光ダイオード１４０ａ、１５０ａは、その各アノードにて、障害釘５２ａの先端部に接続されるとともに、両発光ダイオード１４０ｂ、１５０ｂは、その各アノードにて、障害釘５２ｂの先端部に接続されている。両発光ダイオード１４０ｃ、１５０ｃは、その各アノードにて、障害釘５２ｃの先端部に接続されるとともに、両発光ダイオード１４０ｄ、１５０ｄは、その各アノードにて、障害釘５２ｄの先端部に接続されている。また、両発光ダイオード１４０ｅ、１５０ｅは、その各アノードにて、障害釘５２ｅの先端部に接続されるとともに、両発光ダイオード１４０ｆ、１５０ｆは、その各アノードにて、障害釘５２ｆの先端部に接続されている。なお、各発光ダイオード１４０ａ〜１４０ｆ、１５０ａ〜１５０ｆのカソードは、共に、接地用共通端子１９０に接続されている。
【００６０】
以上のように構成した本第１実施形態では、当該パチンコ遊技機の作動状態において、遊技球Ｓが、遊技者により当該パチンコ遊技機の操作ハンドル（図１にて符号Ｈ参照）の操作でもって遊技盤Ｂｂの遊技領域内に発射されると、当該遊技球Ｓは、遊技盤Ｂｂの盤面に沿いガイドレール３０から多数の障害釘５３内に向け転動する。これに伴い、当該遊技球Ｓは、例えば、遊技盤Ｂｂの遊技領域のうち左側部位を通り左側ユニットＵＬに向けて転動して行くものとする。
【００６１】
しかして、遊技球Ｓが、左側ユニットＵＬの一連の障害釘５１ａ〜５１ｆのうちの障害釘５１ａの頭部側部位に衝突してこの頭部側部位及び導電膜８０のうちの障害釘５１ａの近傍部位の双方に同時に接触すると、当該障害釘５１ａは、遊技球Ｓを介し導電膜８０に電気的に接続される。これにより、当該障害釘５１ａは、遊技球Ｓ及び導電膜８０を介し単一の共通配線１８０ａを通り発光駆動回路１７０の出力端子に電気的に接続される。
【００６２】
これに伴い、発光駆動回路１７０は、直流電源Ｖｃからの給電のもと、両対応発光ダイオード９０ａ、１００ａを発光駆動する。このため、当該両対応発光ダイオード９０ａ、１００ａが共に各発光部９１ａ、１０１ａから両透明カバー１１０ａ、１１０ｂを通して光を出射する。
【００６３】
上述のように障害釘５１ａに衝突した遊技球Ｓが、当該障害釘５１ａから離れて次の障害釘５１ｂの頭部側部位に衝突してこの頭部側部位及び導電膜８０のうちの障害釘５１ｂの近傍部位の双方に同時に接触すると、当該障害釘５１ｂは、遊技球Ｓを介し導電膜８０に電気的に接続される。これにより、当該障害釘５１ｂは、遊技球Ｓ及び導電膜８０を介し単一の共通配線１８０ａを通り発光駆動回路１７０の出力端子に電気的に接続される。
【００６４】
これに伴い、両対応発光ダイオード９０ａ、１００ａが導電板８０から電気的に遮断されて発光を停止するとともに、両対応発光ダイオード９０ｂ、１００ｂが、発光駆動回路１７０により、直流電源Ｖｃからの給電のもとに発光駆動される。このため、当該両対応発光ダイオード９０ｂ、１００ｂが共に各発光部９１ｂ、１０１ｂから両側透明カバー１１０ａ、１１０ｂを通して光を出射する。
【００６５】
以後、遊技球Ｓが、残りの各障害釘５１ｃ〜５１ｆに順次衝突して、各障害釘５１ｃ〜５１ｆが、順次、遊技球Ｓを介し導電膜８０に電気的に接続されると、各障害釘５１ｃ〜５１ｆが、順次、遊技球Ｓ及び導電膜８０を介し単一の共通配線１８０ａを通って発光駆動回路１７０の出力端子に電気的に接続される。
【００６６】
これに伴い、上述と同様にして、両対応発光ダイオード９０ｂ、１００ｂの発光停止がなされ、各両対応発光ダイオード９０ｃ、１００ｃ；〜；９０ｆ、１００ｆが、順次、発光駆動及び発光停止される。このため、各両対応発光ダイオード９０ｃ、１００ｃ；〜；９０ｆ、１００ｆが、両対応発光ダイオード毎に、光を両側透明カバー１１０ａ、１１０ｂを通して出射する。
【００６７】
これにより、左側ユニットＵＬの一連の障害釘５１ａ〜５１ｆに衝突する遊技球Ｓの衝突経路が、互いに対応する各両対応発光ダイオード９０ａ、１００ａ；〜；９０ｆ、１００ｆからの光でもって表示される。
【００６８】
一方、上述のように発射された遊技球Ｓが、上述とは異なり、遊技盤Ｂｂの遊技領域のうち右側部位を通り右側ユニットＵＲに向けて転動するものとする。
【００６９】
しかして、遊技球Ｓが、右側ユニットＵＲの一連の障害釘５２ａ〜５２ｆに順次衝突して、各障害釘５２ｃ〜５２ｆが、順次、遊技球Ｓを介し導電膜１３０に電気的に接続されると、各障害釘５２ｃ〜５２ｆが、順次、遊技球Ｓ及び導電膜１３０を介し単一の共通配線１８０ｂを通って発光駆動回路１７０の出力端子に電気的に接続される。
【００７０】
これに伴い、上述と同様にして、各両対応発光ダイオード１４０ａ、１５０ａ；〜；１４０ｆ、１５０ｆが、順次、発光駆動される。このため、各両対応発光ダイオード１４０ａ、１５０ａ；〜；１４０ｆ、１５０ｆが、両発光ダイオード毎に、順次、光を両側透明カバー１６０ａ、１６０ｂを通して出射する。
【００７１】
これにより、右側装置ユニットＵＲの一連の障害釘５２ａ〜５２ｆに衝突する遊技球Ｓの衝突経路が、互いに対応する各両対応発光ダイオード１４０ａ、１５０ａ；〜；１４０ｆ、１５０ｆからの光でもって表示される。
【００７２】
以上説明したように、本第１実施形態において、左側ユニットＵＬでは、各一連の発光ダイオード９０ａ〜９０ｆ及び１００ａ〜１００ｆが、その各発光部９１ａ〜９１ｆ及び１０１ａ〜１０１ｆにて、支持板７０の各凹所７１ａ、７１ｂ内に露出するように、当該各凹所７１ａ、７１ｂの底壁に挿通固定されている。
【００７３】
このため、各一連の発光ダイオード９０ａ〜９０ｆ及び１００ａ〜１００ｆは、駆動される両対応発光ダイオード毎に、従来技術にて述べた光ファイバーのような余分な構成部材に依存することなく、各発光部にて、光を、各凹所７１ａ、７１ｂ内から支持板７０の表面側へ、直接、出射することなる。しかも、各一連の発光ダイオード９０ａ〜９０ｆ及び１００ａ〜１００ｆは、上述のように一連の障害釘５１ａ〜５１ｆとは別体であることから、従来技術にて述べたような光ファイバーの障害釘に対する挿通構成や挿通作業が不要となる。
【００７４】
従って、当該左側ユニットＵＬの構成や光源としての各一連の発光ダイオード９０ａ〜９０ｆ及び１００ａ〜１００ｆの組み付け作業が簡単になる。その結果、当該左側ユニットＵＬをパチンコ遊技機等の遊技機に採用すれば、パチンコ遊技機としての構成や組み立て作業が従来よりもより一層簡単になる。
【００７５】
また、上述のように、各一連の発光ダイオード９０ａ〜９０ｆ及び１００ａ〜１００ｆの各発光部は、支持板７０の各凹所７１ａ、７１ｂ内にて、当該各凹所７１ａ、７１ｂの開口部に設けた各透明カバー１１０ａ、１１０ｂにより覆蓋されている。従って、遊技球Ｓの発光部との衝突が、透明カバーにより未然に防止され得る。ここで、透明カバーは透明であるから、発光ダイオードは、透明カバー１１０ａ或いは１１０ｂを通り、光を容易に透過させ得るので、当該光の視認は容易である。
【００７６】
また、上述のごとく、障害釘が遊技球Ｓの衝突により電気的に接続される導電膜８０が、一連の障害釘５１ａ〜５１ｆに共通となるように、単一に構成されているから、従来技術で述べたように障害釘毎に通電板を設ける構成は不要となる。これに伴い、単一の導電膜８０を支持板７０の裏側に設けた発光駆動回路１７０と電気的に接続する接続部材が、従来技術で述べたように障害釘毎に通電コードを設ける必要もなく、単一の共通配線１８０ａのみで済む。従って、左側ユニットＵＬとしての構成、ひいては、遊技機としての構成が、さらに簡単になる。
【００７７】
また、遊技球Ｓの障害釘との衝突に伴う発光ダイオードの発光が、従来技術にて述べたような振動感知器の感知信号及びこの感知信号を増幅する電気回路とは異なり、遊技球Ｓを介する障害釘と単一の導電膜８０との電気的接続でもってなされる。従って、当該左側ユニットＵＬを設けた遊技機が、遊技ホールに配設されたとき、発光ダイオードは、当該遊技ホールで生ずる遊技球の障害釘との衝突以外の外乱振動とは係わりなく、遊技球の障害釘との衝突のみに応答して正しく発光され得る。その結果、遊技球の衝突経路が良好に認識され得る。
【００７８】
また、左側ユニットＵＬについて述べた上述の作用効果は、この左側ユニットＵＬに対し対称的な構成を有する右側ユニットＵＲにおいても、同様に成立する。
【００７９】
以上述べたことから分かるように、当該球衝突経路表示装置Ｕによれば、障害釘の振動に依存することなく、簡単な構成にて、左側ユニットＵＬ或いは右側ユニットＵＲの各一連の障害釘のいずれかに対応する一連の発光ダイオードを遊技者側から視認可能に保護しつつ、各障害釘に対する遊技球の衝突経路を、各発光ダイオードの発光でもって、球衝突経路として良好に表示し得るという相乗的な作用効果が達成され得る。
（第２実施形態）
図６は、本発明を適用してなるパチンコ遊技機の第２実施形態の要部を示している。本第２実施形態では、上記第１実施形態にて、左右両側の各分圧回路２００ａ、２００ｂを付加的に採用し、かつ、駆動制御回路Ｅは、発光駆動回路１７０に代えて、マイクロコンピュータ２２０、並びに左右両側の各スイッチング回路２１０ａ、２５０ａ、各時間幅信号発生回路２１０、２５０、各ＯＲゲート２２１、２２２、各電圧保持回路２２３、２２４及び各一連の発光駆動回路２３０ａ〜２３０ｆ及び２６０ａ〜２６０ｆを採用した構成となっている。
【００８０】
左右両側の各分圧回路２００ａ、２００ｂは、左右両側の各支持板７０、１２０の裏面側に配設されており、左側分圧回路２００ａは、図６にて示すごとく、互いに直列接続した各一対の直列抵抗２０１ａ、２０２ａ；〜；２０１ｆ、２０２ｆでもって構成されている。
【００８１】
各一対の直列抵抗２０１ａ、２０２ａ；〜；２０１ｆ、２０２ｆは、一対の直列抵抗毎に、それぞれ、一連の障害釘５１ａ〜５１ｆの各々に対応する。各一対の直列抵抗２０１ａ、２０２ａ；〜；２０１ｆ、２０２ｆにおいて、各一方の抵抗２０２ａ〜２０２ｆは、それぞれ、その各一端にて、一連の障害釘５１ａ〜５１ｆの各々の各先端部に接続されている。また、各一方の抵抗２０２ａ〜２０２ｆは、それぞれ、その各他端にて、それぞれ対応の各他方の抵抗２０１ａ〜２０１ｆを介し直流電源Ｖｃの正側端子に接続されている。
【００８２】
これにより、一連の障害釘５１ａ〜５１ｆが、障害釘毎に、後述のように導電膜８０と電気的に接続されたとき、各一対の直列抵抗２０１ａ、２０２ａ；〜；２０１ｆ、２０２ｆは、それぞれ、直流電源Ｖｃからの直流電圧（以下、直流電圧Ｖｃともいう）を分圧する。そして、各一対の直列抵抗２０１ａ、２０２ａ；〜；２０１ｆ、２０２ｆは、それぞれ、その各共通端子にて、各対応の分圧電圧ＶＬ１〜ＶＬ６を発生し、ＯＲゲート２２１及び電圧保持回路２２３を介してマイクロコンピュータ２２０に出力する。例えば、一対の直列抵抗２０１ａ、２０２ａは、その共通端子にて、分圧電圧ＶＬ１を発生しＯＲゲート２２１及び電圧保持回路２２３を介してマイクロコンピュータ２２０に出力する。
【００８３】
本第２実施形態では、分圧回路２００ａの各分圧電圧ＶＬ１〜ＶＬ６が、分圧電圧ＶＬ１から分圧電圧ＶＬ６にかけて、順次高くなるように、各一対の直列抵抗２０１ａ、２０２ａ；〜；２０１ｆ、２０２ｆの各抵抗値が設定されている。
【００８４】
右側分圧回路２００ｂは、図６にて示すごとく、互いに直列接続した各一対の直列抵抗２４１ａ、２４２ａ；〜；２４１ｆ、２４２ｆでもって構成されている。
【００８５】
各一対の直列抵抗２４１ａ、２４２ａ；〜；２４１ｆ、２４２ｆは、一対の直列抵抗毎に、それぞれ、一連の障害釘５２ａ〜５２ｆの各々に対応する。当該各一対の直列抵抗２４１ａ、２４２ａ；〜；２４１ｆ、２４２ｆにおいて、各一方の抵抗２４２ａ〜２４２ｆは、それぞれ、その各一端にて、一連の障害釘５２ａ〜５２ｆの各々の各先端部に接続されている。また、各一方の抵抗２４２ａ〜２４２ｆは、それぞれ、その各他端にて、それぞれ、対応の各一方の抵抗２４１ａ〜２４１ｆを介し直流電源Ｖｃの正側端子に接続されている。
【００８６】
これにより、一連の障害釘５２ａ〜５２ｆが、障害釘毎に、後述のように導電膜１３０と電気的に接続されたとき、各一対の直列抵抗２４１ａ、２４２ａ；〜；２４１ｆ、２４２ｆは、それぞれ、直流電源Ｖｃからの直流電圧を分圧する。そして、当該各一対の直列抵抗２４１ａ、２４２ａ；〜；２４１ｆ、２４２ｆは、その各共通端子から、各対応の分圧電圧ＶＲ１〜ＶＲ６を発生し、ＯＲゲート２２２及び電圧保持回路２２４を介してマイクロコンピュータ２２０に出力する。例えば、一対の直列抵抗２４１ａ、２４２ａは、その共通端子にて、分圧電圧ＶＲ１を発生しＯＲゲート２２２及び電圧保持回路２２４を介してマイクロコンピュータ２２０に出力する。
【００８７】
本第２実施形態では、分圧回路２００ｂの各分圧電圧は、分圧回路２００ａの各分圧電圧のいずれもとも異なり、そして、分圧電圧ＶＲ１が分圧電圧ＶＬ１よりも高く、かつ、各分圧電圧ＶＲ２〜分圧電圧ＶＲ６が、分圧電圧ＶＲ２から分圧電圧ＶＲ６にかけて、分圧電圧ＶＲ１よりも順次高くなるように、各一対の直列抵抗２４１ａ、２４２ａ；〜；２４１ｆ、２４２ｆの各抵抗値が設定されている。
【００８８】
左側電圧保持回路２２３は、分圧回路２００ａからＯＲゲート２２１を介し分圧電圧ＶＬ１〜ＶＬ６のいずれかを入力されて保持し、マイクロコンピュータ２２０に出力する。また、右側電圧保持回路２２４は、分圧回路２００ｂからＯＲゲート２２２を介し分圧電圧ＶＲ１〜ＶＲ６のいずれかを入力されて保持し、マイクロコンピュータ２２０に出力する。なお、本実施形態では、左右両側電圧保持回路２２３、２２４は、共に、ピークホールド回路でもって構成されており、このピークホールド回路としては、例えば、日本サーキットデザイン（株）製ＰＨ−２０１Ａ型ピークホールド回路が採用されている。
【００８９】
左側スイッチング回路２１０ａは、トランジスタ２１１を有しており、このトランジスタ２１１は、そのベースにて、両抵抗２１３、２１４及びツェナーダイオード２１５並びに第１実施形態にて述べた単一の共通配線１８０ａを介し単一の導電膜８０に接続されている。また、トランジスタ２１１は、そのコレクタにて、コレクタ抵抗２１２を介し直流電源（図示しない）から正の直流電圧Ｖｃｃを印加されるようになっている。なお、トランジスタ２１１のエミッタは接地されている。
【００９０】
しかして、トランジスタ２１１は、そのべースにて、後述する一連の障害釘５１ａ〜５１ｆのいずれかと導電膜８０との電気的接続に伴い、各一対の直列抵抗２０１ａ、２０２ａ；〜；２０１ｆ、２０２ｆのうちのいずれかの一対の直列抵抗を介し、直流電源Ｖｃから直流電圧を受けてスイッチング作動し導通する。また、当該トランジスタ２１１は、一連の障害釘５１ａ〜５１ｆの導電膜８０からの電気的遮断に伴いスイッチング作動し非導通となる。なお、抵抗２１４は、トランジスタ２１１の非導通状態を確保する役割を果たす。また、ツェナーダイオード２１５は、トランジスタ２１１の導通に要するベース電圧を一定にする役割を果たす。
【００９１】
右側スイッチング回路２５０ａは、左側スイッチング回路２１０ａと同様に機能するように、当該左側スイッチング回路２１０ａと同様に構成されており、この右側スイッチング回路２５０ａは、左側スイッチング回路２１０ａのトランジスタ２１１、コレクタ抵抗２１２、両抵抗２１３、２１４及びツェナーダイオード２１５に対応するトランジスタ２５１、コレクタ抵抗２５２、両抵抗２５３、２５４及びツェナーダイオード２５５を備えている。
【００９２】
なお、トランジスタ２５１は、そのベースにて、両抵抗２５３、２５４及びツェナーダイオード２５５及び上記第１実施形態にて述べた単一の共通配線１８０ｂを介し単一の導電膜１３０に接続されている。
【００９３】
左右両側時間幅信号発生回路２１０、２５０は、それぞれ、例えば、単安定マルチバイブレータからなるもので、左側時間幅信号発生回路２１０は、スイッチング回路２１０ａのトランジスタ２１１の導通に応答して、ハイレベルの時間幅信号を所定の時間幅にて発生しマイクロコンピュータ２２０に出力する。右側時間幅信号発生回路２５０は、スイッチング回路２５０ａのトランジスタ２５１の導通に応答して、ハイレベルの時間幅信号を所定の時間幅にて発生しマイクロコンピュータ２２０に出力する。本実施形態では、上記所定の時間幅は、遊技球Ｓの障害釘との衝突時間が一瞬であり、かつマイクロコンピュータ２２０の処理速度が遅くても、遊技球Ｓの障害釘との一瞬の衝突に基づくトランジスタ２１１或いは２５１の一瞬の導通に対応して、マイクロコンピュータ２２０が処理可能なように、長く設定されている。
【００９４】
マイクロコンピュータ２２０は、図７及び図８にて示すフローチャートに従い、コンピュータプログラムを実行するもので、このマイクロコンピュータ２２０は、その実行中において、時間幅信号の入力の有無、分圧電圧のセット処理、発光駆動すべき発光ダイオードの判定処理及びその駆動処理等の各種演算処理を行う。なお、上記コンピュータプログラムは、マイクロコンピュータ２２０のＲＯＭにこのマイクロコンピュータにより読み出し可能に予め記憶されている。
【００９５】
一連の発光駆動回路２３０ａ〜２３０ｆは、それぞれ、各一対の発光ダイオード９０ａ、１００ａ；〜；９０ｆ、１００ｆに対応するもので、各発光駆動回路２３０ａ〜２３０ｆは、マイクロコンピュータ２２０による制御のもと、それぞれ、対応の各一対の発光ダイオード９０ａ、１００ａ；〜；９０ｆ、１００ｆを発光駆動する。
【００９６】
また、一連の発光駆動回路２６０ａ〜２６０ｆは、それぞれ、各一対の発光ダイオード１４０ａ、１５０ａ；〜；１４０ｆ、１５０ｆに対応するもので、各発光駆動回路２６０ａ〜２６０ｆは、マイクロコンピュータ２２０による制御のもと、それぞれ、対応の各一対の発光ダイオード１４０ａ、１５０ａ；〜；１４０ｆ、１５０ｆを発光駆動する。
【００９７】
以上のように構成した本第２実施形態において、マイクロコンピュータ２２０が、作動状態にあって、左右両側時間幅信号のいずれも入力なく、両ステップ２７０、２８０にて、ＮＯとの判定を繰り返しているものとする。
【００９８】
このような状態において、上記第１実施形態と同様に左側ユニットＵＬの一連の障害釘５１ａ〜５１ｆのうちの障害釘５１ａが、遊技球Ｓを介し導電膜８０に電気的に接続されると、当該障害釘５１ａは、遊技球Ｓ及び導電膜８０を介し単一の共通配線１８０ａを通ってスイッチング回路２１０ａに電気的に接続される。これに伴い、スイッチング回路２１０ａのトランジスタ２１１が導通して導電膜８０を接地する。このとき、分圧回路２００ａの一対の直列抵抗２０１ａ、２０２ａが、分圧電圧ＶＬ１を発生してＯＲゲート２２１を介し電圧保持回路２２３に出力する。これにより、分圧電圧ＶＬ１は、電圧保持回路２２３により保持される。
【００９９】
上述のようにスイッチング回路２１０ａのトランジスタ２１１が導通すると、左側時間幅信号発生回路２１０が、左側時間幅信号を発生しマイクロコンピュータ２２０に入力する。ここで、左側時間幅信号の時間幅が、上述のごとく、所定の時間幅に設定されているので、マイクロコンピュータ２２０の処理速度が遅くても、当該マイクロコンピュータ２２０は、左側時間幅信号の入力を確実に認識し、ステップ２７０において、確実にＹＥＳと判定する。
【０１００】
上述のようにステップ２７０における判定がＹＥＳになると、ステップ２９０において、左側分圧電圧ＶＬｍ（ｍ＝１、２、・・・）が、電圧保持回路２２３により保持された分圧電圧ＶＬ１に基づき、分圧回路２００ａの一対の直列抵抗からの分圧電圧ＶＬ１としてセットされる。ついで、ステップ３００において、左側時間幅信号が入力されているか否かが判定される。
【０１０１】
現段階では、左側時間幅信号発生回路２１０からの左側時間幅信号が入力されていることから、ステップ３００においてＹＥＳと判定され、ステップ３１０において、左側発光ダイオードの判定処理がなされる。ここで、左側発光ダイオードは、左側ユニットＵＬの発光ダイオードに相当する。
【０１０２】
しかして、ステップ３１０における判定処理は、次のようにしてなされる。この判定処理にあたり、図９にて示す左側発光ダイオード特定データが導入される。この左側発光ダイオード特定データは、左側両第１発光ダイオード（両発光ダイオード９０ａ、１００ａ）と左側第１照合電圧との対応関係、左側両第２発光ダイオード（両発光ダイオード９０ｂ、１００ｂ）と左側第２照合電圧との対応関係、左側両第３発光ダイオード（両発光ダイオード９０ｃ、１００ｃ）と左側第３照合電圧との対応関係、左側両第４発光ダイオード（両発光ダイオード９０ｄ、１００ｄ）と左側第４照合電圧との対応関係、左側両第５発光ダイオード（両発光ダイオード９０ｅ、１００ｅ）と左側第５照合電圧との対応関係及び左側両第６発光ダイオード（両発光ダイオード９０ｆ、１００ｆ）と左側第６照合電圧との対応関係を特定する。
【０１０３】
本第２実施形態では、左側第１照合電圧、左側第２照合電圧及び左側第３照合電圧は、それぞれ、分圧回路２００ａの分圧電圧ＶＬ１、分圧電圧ＶＬ２及び分圧電圧ＶＬ３に等しく設定されている。また、左側第４照合電圧、左側第５照合電圧及び左側第６照合電圧は、それぞれ、分圧回路２００ａの分圧電圧ＶＬ４、分圧電圧ＶＬ５及び分圧電圧ＶＬ６に等しく設定されている。なお、当該左側発光ダイオード特定データは、マイクロコンピュータ２２０のＲＯＭに予め記憶されている。
【０１０４】
しかして、現段階では、ステップ２９０における最新の分圧電圧は、左側分圧電圧ＶＬ１であることから、マイクロコンピュータ２２０は、ステップ３１０において、当該左側分圧電圧ＶＬ１に基づき上述の左側発光ダイオード特定データを探索して、当該左側分圧電圧ＶＬ１に一致する左側第１照合電圧を選択する。これにより、左側両第１発光ダイオードである両発光ダイオード９０ａ、１００ａが、上述の左側発光ダイオード特定データのうちの左側両第１発光ダイオードと左側第１照合電圧との対応関係に基づき判定される。
【０１０５】
この判定に伴い、上記コンピュータプログラムは、ステップ３１１に進み、当該両発光ダイオード９０ａ、１００ａの駆動処理がなされる。このため、両発光ダイオード９０ａ、１００ａが発光駆動回路２３０ａにより発光駆動されて、各発光部９１ａ、１０１ａから各透明カバー１１０ａ、１１０ｂを通して光を出射する。
【０１０６】
ついで、上記第１実施形態と同様に、障害釘５１ａに衝突した遊技球Ｓが、当該障害釘５１ａから離れて次の障害釘５１ｂの頭部側部位に衝突して、当該障害釘５１ｂが、遊技球Ｓを介し導電膜８０に電気的に接続されると、スイッチング回路２１０ａのトランジスタ２１１が導通して導電膜８０を接地する。このとき、分圧回路２００ａの一対の直列抵抗２０１ｂ、２０２ｂが分圧電圧ＶＬ２を発生してＯＲゲート２２１を介し電圧保持回路２２３に出力する。これにより、分圧電圧ＶＬ２は、電圧保持回路２２３により保持される。
【０１０７】
上述のようにスイッチング回路２１０ａのトランジスタ２１１が導通すると、左側時間幅信号発生回路２１０が、左側時間幅信号を発生しマイクロコンピュータ２２０に入力する。このため、上記コンピュータプログラムがステップ２７０に戻ったとき、ＹＥＳと判定される。
【０１０８】
ついで、ステップ２９０において、左側分圧電圧ＶＬｍが、電圧保持回路２２３により保持された分圧電圧ＶＬ２に基づき、分圧回路２００ａの一対の直列抵抗からの分圧電圧ＶＬ２としてセットされるとともに、ステップ３００において、上述と同様に、ＹＥＳと判定される。現段階では、ステップ２９０における最新の分圧電圧は、左側分圧電圧ＶＬ２であることから、マイクロコンピュータ２２０は、ステップ３１０において、当該左側分圧電圧ＶＬ２に基づき上述の左側発光ダイオード特定データを探索して、当該左側分圧電圧ＶＬ２に一致する左側第２照合電圧を選択する。
【０１０９】
このため、左側両第２発光ダイオードである両発光ダイオード９０ｂ、１００ｂが、上述の左側発光ダイオード特定データのうちの左側両第２発光ダイオードと左側第２照合電圧との対応関係に基づき判定される。これに伴い、上記コンピュータプログラムは、ステップ３１２に進み、当該両発光ダイオード９０ｂ、１００ｂの駆動処理がなされる。このため、両発光ダイオード９０ｂ、１００ｂが発光駆動回路２３０ｂにより発光駆動されて、各発光部９１ｂ、１０１ｂから両側透明カバー１１０ａ、１１０ｂを通して光を出射する。
【０１１０】
以後、上記第１実施形態と同様に、各障害釘５１ｃ〜５１ｆが、順次、遊技球Ｓを介し導電膜８０に電気的に接続されると、スイッチング回路２１０ａのトランジスタ２１１が繰り返し導通して導電膜８０を接地するとともに、分圧回路２００ａの各一対の直列抵抗２０１ｃ、２０２ｃ；〜；２０１ｆ、２０２ｆが、順次、それぞれ、各分圧電圧ＶＬ３〜ＶＬ６を発生してＯＲゲート２２１を介し電圧保持回路２２３に出力する。これにより、各分圧電圧ＶＬ３〜ＶＬ６は、電圧保持回路２２３により順次保持される。
【０１１１】
上述のようにスイッチング回路２１０ａのトランジスタ２１１が繰り返し導通すると、左側時間幅信号発生回路２１０が、繰り返し、左側時間幅信号を発生しマイクロコンピュータ２２０に入力する。このため、上記コンピュータプログラムがステップ２７０に戻る毎に、ＹＥＳと判定される。
【０１１２】
従って、ステップ２９０に進むごとに、左側分圧電圧ＶＬｍが、電圧保持回路２２３により順次保持された各分圧電圧ＶＬ３〜ＶＬ６に基づき、分圧回路２００ａの一対の直列抵抗からの各分圧電圧ＶＬ３〜ＶＬ６として順次セットされるとともに、ステップ３００において、上述と同様に、ＹＥＳと繰り返し判定される。しかして、上記コンピュータプログラムがテップ３１０に進むごとに、マイクロコンピュータ２２０は、順次、ステップ２９０における各分圧電圧ＶＬ３〜ＶＬ６に基づき、順次、上述の左側発光ダイオード特定データを繰り返し探索して、順次、当該左側分圧電圧ＶＬ３〜ＶＬ６に一致する左側第３照合電圧〜左側第６照合電圧を選択する。これにより、左側両第３発光ダイオード〜左側両第６発光ダイオードである両発光ダイオード９０ｃ、１００ｃ；〜；９０ｆ、１００ｆが、上述の左側発光ダイオード特定データのうちの左側両第３発光ダイオードと左側第３照合電圧との対応関係〜左側両第６発光ダイオードと左側第６照合電圧との対応関係に基づき順次判定される。
【０１１３】
これに伴い、上記コンピュータプログラムは、ステップ３１０から各ステップ３１２〜３１６に順次進み、当該両発光ダイオード９０ｃ、１００ｃ；〜；９０ｆ、１００ｆの駆動処理が、両対応発光ダイオード毎に、順次なされる。このため、両発光ダイオード９０ｃ、１００ｃ；〜；９０ｆ、１００ｆが発光駆動回路２３０ｃ〜２３０ｆにより順次発光駆動されて、各発光部から両側透明カバー１１０ａ、１１０ｂを通して光を出射する。
【０１１４】
一方、上述とは異なり、上記第１実施形態と同様に右側ユニットＵＲの一連の障害釘５２ａ〜５２ｆが、順次、遊技球Ｓを介し導電膜１３０に電気的に接続されると、スイッチング回路２５０ａのトランジスタ２５１が、繰り返し導通して、この導通毎に導電膜８０を接地する。このとき、分圧回路２００ｂの各一対の直列抵抗２４１ａ、２４２ａ；〜；２４１ｆ、２４２ｆが、順次、分圧電圧ＶＲ１〜ＶＲ６を発生してＯＲゲート２２２を介し電圧保持回路２２４に出力する。これにより、分圧電圧ＶＲ１〜ＶＲ６は、順次、電圧保持回路２２４により保持される。
【０１１５】
しかして、ステップ２８０におけるＹＥＳとの判定毎に、ステップ２９０にて、右側分圧電圧ＶＲｎが、電圧保持回路２２４により保持された分圧電圧ＶＲ１〜ＶＲ６に基づき、順次、右側分圧回路２００ｂの各一対の直列抵抗の分圧電圧ＶＲ１〜ＶＲ６とセットされる。
【０１１６】
ついで、右側時間幅信号発生回路２５０からの右側時間幅信号に基づきステップ３００にてＮＯと判定されるごとに、ステップ３２０において、上記左側発光ダイオード特定データによる左側発光ダイオードの判定と実質的に同様に、右側の両第１〜両第６の発光ダイオードである各両発光ダイオード１４０ａ、１５０ａ；〜；１４０ｆ、１５０ｆが、以下に述べるような右側発光ダイオード特定データ（図１０参照）に基づき、順次、判定される。
【０１１７】
ここで、上述の右側発光ダイオード特定データは、右側両第１発光ダイオード（両発光ダイオード１４０ａ、１５０ａ）と右側第１照合電圧との対応関係、右側両第２発光ダイオード（両発光ダイオード１４０ｂ、１５０ｂ）と右側第２照合電圧との対応関係、右側両第３発光ダイオード（両発光ダイオード１４０ｃ、１５０ｃ）と右側第３照合電圧との対応関係、右側両第４発光ダイオード（両発光ダイオード１４０ｄ、１５０ｄ）と右側第４照合電圧との対応関係、右側両第５発光ダイオード（両発光ダイオード１４０ｅ、１５０ｅ）と右側第５照合電圧との対応関係及び右側両第６発光ダイオード（両発光ダイオード１４０ｆ、１５０ｆ）と右側第６照合電圧との対応関係を特定する。
【０１１８】
本第２実施形態では、右側第１照合電圧、右側第２照合電圧及び右側第３照合電圧は、それぞれ、分圧回路２００ｂの分圧電圧ＶＲ１、分圧電圧ＶＲ２及び分圧電圧ＶＲ３に等しく設定されている。また、右側第４照合電圧、右側第５照合電圧及び右側第６照合電圧は、それぞれ、分圧回路２００ｂの分圧電圧ＶＲ４、分圧電圧ＶＲ５及び分圧電圧ＶＲ６に等しく設定されている。なお、当該右側発光ダイオード特定データは、マイクロコンピュータ２２０のＲＯＭに予め記憶されている。
【０１１９】
上述のようにステップ３２０における判定が繰り返しなされると、右側両第１発光ダイオードの駆動処理〜右側両第６発光ダイオードの駆動処理が、各ステップ３２１〜３２６において、順次なされる。この各ステップ３２１〜３２６における処理に伴い、各両発光ダイオード１４０ａ、１５０ａ；〜；１４０ｆ、１５０ｆが、それぞれ、順次、各発光駆動回路２６０ａ〜２６０ｆにより、発光駆動されて、両側透明カバー１６０ａ、１６０ｂを通して光を出射する。
【０１２０】
以上のように、制御回路Ｅが本第２実施形態のように構成されても、分圧回路２００ａ或いは２００ｂの各分圧電圧及び図９或いは図１０の左側或いは右側の発光ダイオード特定データを有効に活用することで、一連の障害釘５１ａ〜５１ｆ或いは一連の障害釘５２ａ〜５２ｆに対する遊技球Ｓの衝突経路が、上記第１実施形態と同様の作用効果を達成しつつ、良好に表示され得る。
（第３実施形態）
図１１は、本発明を適用してなるパチンコ遊技機の第３実施形態の要部を示している。本第３実施形態では、上記第２実施形態において、両分圧回路２００ａ、２００ｂに代えて、両分圧回路３５０、３６０を採用した構成となっている。
【０１２１】
分圧回路３５０は、互いに直列接続してなる一連の直列抵抗３５１〜３５７でもって構成されている。一連の直列抵抗３５１〜３５７において、抵抗３５１は、その一端にて、接地されており、当該抵抗３５１の他端は、残りの各直列抵抗３５２〜３５７を順次介して直流電源Ｖｃの正側端子に接続されている。また、一連の直列抵抗３５１〜３５７のうち、各直列抵抗３５２〜３５７は、それぞれ、各同一側端子にて、一連の障害釘５１ａ〜５１ｆの各先端部に接続されている。これにより、分圧回路３５０は、一連の直列抵抗３５１〜３５７により直流電源Ｖｃの直流電圧を分圧し、各直列抵抗３５２〜３５７の上記各同一側端子にて、各分圧電圧（以下、本実施形態でも、各分圧電圧ＶＬ１〜ＶＬ６という）を発生する。
【０１２２】
本第３実施形態では、各分圧電圧ＶＬ１〜ＶＬ６が、それぞれ、上記第２実施形態にて述べた各分圧電圧ＶＬ１〜ＶＬ６と同一となるように、各抵抗３５１〜３５７の値が設定されている。
【０１２３】
また、分圧回路３６０は、互いに直列接続してなる一連の直列抵抗３６１〜３６７でもって構成されている。一連の直列抵抗３６１〜３６７において、抵抗３６１は、その一端にて、接地されており、当該抵抗３６１の他端は、残りの各直列抵抗３６２〜３６７を順次介して直流電源Ｖｃの正側端子に接続されている。また、一連の直列抵抗３６１〜３６７のうち、各直列抵抗３６２〜３６７は、それぞれ、各同一側端子にて、一連の障害釘５２ａ〜５２ｆの各先端部に接続されている。これにより、分圧回路３６０は、一連の直列抵抗３６１〜３６７により直流電源Ｖｃの直流電圧を分圧し、各直列抵抗３６２〜３６７の上記各同一側端子にて、各分圧電圧（以下、本実施形態でも、各分圧電圧ＶＲ１〜ＶＲ６という）を発生する。
【０１２４】
本第３実施形態では、各分圧電圧ＶＲ１〜ＶＲ６が、それぞれ、上記第２実施形態にて述べた各分圧電圧ＶＲ１〜ＶＲ６と同一となるように、各抵抗３６１〜３６７の値が設定されている。その他の構成は上記第２実施形態と同様である。
【０１２５】
このように構成した本第３実施形態では、上述のごとく、両分圧回路３５０、３６０が、上記第２実施形態にて述べた両分圧回路２００ａ、２００ｂに代えて、採用されている。
【０１２６】
このため、左側ユニットＵＬにおいて、一連の障害釘５１ａ〜５１ｆのいずれかの障害釘が上記第２実施形態と同様に導電膜８０と電気的に接続されたとき、スイッチング回路２１０ａのトランジスタ２１１は、上記いずれかの障害釘に対応する分圧回路３５０の上記同一側端子を介し分圧電圧を受けて導通する。例えば、障害釘５１ａが導電膜８０と電気的に接続されたとき、トランジスタ２１１は、分圧回路３５０の上記同一側端子（両抵抗３５１、３５２の共通端子）から分圧電圧ＶＬ１を受けて導通する。
【０１２７】
一方、右側ユニットＵＲにおいては、一連の障害釘５２ａ〜５２ｆのいずれかの障害釘が上記第２実施形態と同様に導電膜１３０と電気的に接続されたとき、スイッチング回路２５０ａのトランジスタ２５１は、上記いずれかの障害釘に対応する分圧回路３６０の上記同一側端子を介し分圧電圧を受けて導通する。例えば、障害釘５２ａが導電膜１３０と電気的に接続されたとき、トランジスタ２５１は、分圧回路３６０の上記同一側端子（両抵抗３６１、３６２の共通端子）から分圧電圧ＶＲ１を受けて導通する。
【０１２８】
以上のように、トランジスタ２１１（或いは２５１）が導通すると、左側（或いは右側）の時間幅信号発生回路２１０（或いは２５０）からの出力及びＯＲゲート２２１（或いは２２２）及び電圧保持回路２２３（或いは２２４）を介する分圧回路３５０（或いは３６０）からの分圧電圧に基づき、マイクロコンピュータ２２０が、上記第２実施形態と同様に、図７及び図８のフローチャートに従い発光ダイオードを判定して発光駆動処理する。
【０１２９】
これにより、本第３実施形態のように、上記第２実施形態の両分圧回路２００ａ、２００ｂとは異なり、両分圧回路３５０、３６０を採用しても、上記第２実施形態と同様の作用効果が達成され得る。
（第４実施形態）
図１２は、本発明の第４実施形態の要部を示している。この第４実施形態では、上記第３実施形態にて述べた制御回路Ｅにおいて、両スイッチング回路２１０ａ、２５０ａ、両時間幅信号発生回路２１０、２５０、両ＯＲゲート２２１、２２２及び両電圧保持回路２２３、２２４に代えて、左右両側電圧保持回路４００、４１０、左右両側照合電圧発生回路４２０、４３０及び左右両側コンパレータ４４０、４５０を採用した構成となっている。
【０１３０】
左右両側電圧保持回路４００、４１０は、例えば、日本サーキットデザイン（株）製ＰＨ−２０１Ａ型ピークホールド回路からなるもので、左側電圧保持回路４００は、単一の共通配線１８０ａを介し導電膜８０に接続され、右側電圧保持回路４１０は、単一の共通配線１８０ｂを介し導電膜１３０に接続されている。
【０１３１】
しかして、左側ユニットＵＬにおいて一連の障害釘５１ａ〜５１ｆのいずれかの障害釘が上記第３実施形態と同様に導電膜８０と電気的に接続されたとき、左側電圧保持回路４００は、上記いずれかの障害釘に対応する分圧回路３５０の上記同一側端子を介し分圧電圧を受けて左側保持電圧として保持する。例えば、障害釘５１ａが導電膜８０と電気的に接続されたとき、左側電圧保持回路４００は、分圧回路３５０の同一側端子（両直列抵抗３５１、３５２の共通端子）から分圧電圧ＶＬ１を受けて左側保持電圧として保持する。
【０１３２】
一方、右側ユニットＵＲにおいて一連の障害釘５２ａ〜５２ｆのいずれかの障害釘が上記第３実施形態と同様に導電膜１３０と電気的に接続されたとき、右側電圧保持回路４１０は、上記いずれかの障害釘に対応する分圧回路３６０の上記同一側端子を介し分圧電圧を受けて右側保持電圧として保持する。例えば、障害釘５２ａが導電膜１３０と電気的に接続されたとき、右側電圧保持回路４１０は、分圧回路３６０の同一側端子（両抵抗３６１、３６２の共通端子）から分圧電圧ＶＲ１を受けて右側保持電圧として保持する。
【０１３３】
左側照合電圧発生回路４２０は、図１３にて示すごとく、クロック回路４２１、アップカウンタ４２２及びデジタル−アナログ変換器４２３（Ｄ−Ａ変換器４２３）でもって構成されている。クロック回路４２１は、駆動制御回路Ｅの作動開始と同時に所定周波数のクロックパルス信号を順次発生する。アップカウンタ４２２は、クロック回路４２１から順次発生されるクロックパルス信号をカウントアップし、このカウントアップ毎にカウントアップ信号を発生する。そして、このカウントアップ信号で特定されるクロックパルス信号の数が所定数（例えば、６）に到達する毎に、アップカウンタ４２２は、リセットされて再度カウントアップを開始する。Ｄ−Ａ変換器４２３は、アップカウンタ４２２からのカウントアップ信号毎に、このカウントアップ信号により特定されるクロックパルス信号の数に基づきこのクロックパルス信号の数をアナログ電圧に変換して左側第１〜第６の照合電圧として順次左側コンパレータ４４０及びマイクロコンピュータ２２０に出力する。
【０１３４】
また、右側照合電圧発生回路４３０は、図１４にて示すごとく、クロック回路４３１、アップカウンタ４３２及びＤ−Ａ変換器４３３でもって構成されている。これらクロック回路４３１、アップカウンタ４３２及びＤ−Ａ変換器４３３は、それぞれ、左側照合電圧発生回路４２０のクロック回路４２１、アップカウンタ４２２及びＤ−Ａ変換器４２３と同様の機能を有する。しかして、右側照合電圧発生回路４３０は、クロック回路４３１から順次発生されるクロックパルス信号をアップカウンタ４３２によりカウントアップし、このカウントアップ毎にアップカウンタ４３２から発生するカウントアップ信号をＤ−Ａ変換器４３３により順次Ｄ−Ａ変換してアナログ電圧を発生し右側第１〜第６の照合電圧として右側コンパレータ４５０及びマイクロコンピュータ２２０に出力する。なお、本実施形態において、両クロック回路４２１、４３１としては、例えば、京セラキンセキ株式会社製ＪＸＯ−５型水晶発振器が採用される。また、両アップカウンター４２２、４３２としては、東芝製ＴＣ７４ＨＣ１９１ＡＰ型アップカウンタが採用される。
【０１３５】
ここで、上記第２実施形態と同様に、左側第１照合電圧は左側両第１発光ダイオード（両発光ダイオード９０ａ、１００ａ）に対応し、左側第２照合電圧は左側両第２発光ダイオード（両発光ダイオード９０ｂ、１００ｂ）に対応し、左側第３照合電圧は左側両第３発光ダイオード（両発光ダイオード９０ｃ、１００ｃ）に対応する。また、左側第４照合電圧は左側両第４発光ダイオード（両発光ダイオード９０ｄ、１００ｄ）に対応し、左側第５照合電圧は左側両第５発光ダイオード（両発光ダイオード９０ｅ、１００ｅ）に対応し、左側第６照合電圧は左側両第６発光ダイオード（両発光ダイオード９０ｆ、１００ｆ）に対応する。
【０１３６】
また、右側第１照合電圧は右側両第１発光ダイオード（両発光ダイオード１４０ａ、１５０ａ）に対応し、右側第２照合電圧は右側両第２発光ダイオード（両発光ダイオード１４０ｂ、１５０ｂ）に対応し、右側第３照合電圧は右側両第３発光ダイオード（両発光ダイオード１４０ｃ、１５０ｃ）に対応する。また、右側第４照合電圧は右側両第４発光ダイオード（両発光ダイオード１４０ｄ、１５０ｄ）に対応し、右側第５照合電圧は右側両第５発光ダイオード（両発光ダイオード１４０ｅ、１５０ｅ）に対応し、右側第６照合電圧は右側両第６発光ダイオード（両発光ダイオード１４０ｆ、１５０ｆ）に対応する。
【０１３７】
また、左側第１照合電圧、左側第２照合電圧及び左側第３照合電圧は、それぞれ、分圧回路３５０の分圧電圧ＶＬ１、分圧電圧ＶＬ２及び分圧電圧ＶＬ３に等しく設定されている。また、左側第４照合電圧、左側第５照合電圧及び左側第６照合電圧は、それぞれ、分圧回路３５０の分圧電圧ＶＬ４、分圧電圧ＶＬ５及び分圧電圧ＶＬ６に等しく設定されている。
【０１３８】
また、右側第１照合電圧、右側第２照合電圧及び右側第３照合電圧は、それぞれ、分圧回路３６０の分圧電圧ＶＲ１、分圧電圧ＶＲ２及び分圧電圧ＶＲ３に等しく設定されている。また、右側第４照合電圧、右側第５照合電圧及び右側第６照合電圧は、それぞれ、分圧回路３６０の分圧電圧ＶＲ４、分圧電圧ＶＲ５及び分圧電圧ＶＲ６に等しく設定されている。
【０１３９】
左側コンパレータ４４０は、左側電圧保持回路４００からの左側保持電圧を左側照合電圧発生回路４２０から順次発生する左側の第１〜第６の照合電圧と比較する。そして、左側電圧保持回路４００からの左側保持電圧が左側照合電圧発生回路４２０からの左側の第１〜第６の照合電圧のいずれかの照合電圧以上のとき、左側コンパレータ４４０は、ハイレベル（Ｈレベル）の比較信号を発生する。また、左側電圧保持回路４００からの左側保持電圧が左側照合電圧発生回路４２０からの左側の第１〜第６の照合電圧のいずれかの照合電圧よりも低いとき、左側コンパレータ４４０は、ローレベル（Ｌレベル）の比較信号を発生する。
【０１４０】
また、右側コンパレータ４５０は、右側電圧保持回路４１０からの右側保持電圧を右側照合電圧発生回路４３０から順次発生する右側の第１〜第６の照合電圧と比較する。そして、右側電圧保持回路４１０からの右側保持電圧が右側照合電圧発生回路４３０からの右側の第１〜第６の照合電圧のいずれかの照合電圧以上のとき、右側コンパレータ４５０は、ハイレベル（Ｈレベル）の比較信号を発生する。また、右側電圧保持回路４１０からの右側保持電圧が右側照合電圧発生回路４３０からの右側の第１〜第６の照合電圧のいずれかの照合電圧よりも低いとき、右側コンパレータ４５０は、ローレベル（Ｌレベル）の比較信号を発生する。
【０１４１】
また、本第４実施形態では、上記第３実施形態にて述べたマイクロコンピュータ２２０は、図７及び図８のフローチャートに代えて、図１５及び図１６で示すフローチャートに従い上記コンピュータプログラムを実行するように変更されている。その他の構成は、上記第３実施形態と同様である。
【０１４２】
このように構成した本第４実施形態では、例えば、左側ユニットＵＬにおいて、一連の障害釘５１ａ〜５１ｆのいずれかの障害釘が上記第３実施形態と同様に導電膜８０と電気的に接続されたとき、左側電圧保持回路４００は、上記いずれかの障害釘に対応する分圧回路３５０の上記同一側端子を介し分圧電圧を受けて左側保持電圧として保持する。例えば、障害釘５１ａが導電膜８０と電気的に接続されたとき、左側電圧保持回路４００は、分圧回路３５０の同一側端子（両抵抗３５１、３５２の共通端子）から分圧電圧ＶＬ１を受けて左側保持電圧として保持する。
【０１４３】
また、左側照合電圧発生回路４２０は、その作動開始に伴い、左側の第１〜第６の照合電圧を順次繰り返し発生して左側コンパレータ４４０及びマイクロコンピュータ２２０に出力する。一方、右側照合電圧発生回路４３０は、その作動開始に伴い、右側の第１〜第６の照合電圧を順次繰り返し発生して右側コンパレータ４５０及びマイクロコンピュータ２２０に出力する。
【０１４４】
また、マイクロコンピュータ２２０は、その作動に伴い、図１５及び図１６のフローチャートに従い上記コンピュータプログラムの実行を開始し、ステップ３３０にて、初期化処理を行う。
【０１４５】
また、上述のように左側電圧保持回路４００に保持された左側保持電圧が左側コンパレータ４４０に出力されると、この左側保持電圧は、左側コンパレータ４４０により、左側照合電圧発生回路４２０から順次発生する左側の第１〜第６の照合電圧と比較される。これに伴い、左側保持電圧が、左側照合電圧発生回路４２０から順次発生する左側の第１〜第６の照合電圧よりも低い間では、左側コンパレータ４４０は、Ｌレベルの比較信号を繰り返し発生する。
【０１４６】
このような過程においては、ステップ３４０におけるＬレベルの比較信号のセット処理及びステップ３５０におけるＮＯとの判定処理が繰り返される。そして、左側保持電圧が、左側照合電圧発生回路４２０からの一照合電圧以上になると、左側コンパレータ４４０は、Ｈレベルの比較信号を発生する。このため、ステップ３５０においてＹＥＳと判定される。
【０１４７】
この判定に伴い、ステップ３６０において、先回の比較信号はＬレベルか否かが判定される。現段階において、ステップ３４０にてセット済みの最新の比較信号は、上述のごとく、Ｌレベルであることから、ステップ３６０における判定はＹＥＳとなる。
【０１４８】
ついで、ステップ３７０において、照合電圧のセット処理がなされる。このセット処理では、上述したステップ３４０にてセット済みの最新の比較信号に後続する左側コンパレータ４４０からのＨレベルの比較信号の発生根拠となる左側照合電圧発生回路４２０からの左側照合電圧がセットされる。
【０１４９】
ここで、この左側照合電圧は、上記一照合電圧であって、上述した左側コンパレータ４４０からのＨレベルの比較信号に対応する左側電圧保持回路４００からの左側保持電圧に対応する。現段階において、この左側保持電圧は、分圧回路３５０の両直列抵抗３５１、３５２の共通端子である同一側端子から障害釘５１ａ、遊技球Ｓ及び単一の導電膜８０を通り左側電圧保持回路４００に入力する分圧電圧ＶＬ１に相当する。そして、現段階において、上記一照合電圧は、左側第１照合電圧であるものとする。この左側第１照合電圧は、上述のごとく、左側両第１発光ダイオード（両発光ダイオード９０ａ、１００ａ）に対応するとともに、分圧電圧ＶＬ１に等しい。
【０１５０】
ついで、ステップ３８０において、左側照合電圧のセットか否かが判定される。ここでは、上述のごとくステップ３７０でセットした最新の照合電圧は、左側第１照合電圧であることから、ステップ３８０において、ＹＥＳと判定される。
【０１５１】
このようにステップ３８０におけるＹＥＳとの判定がなされた後は、上記第２実施形態と同様にステップ３１０における判定処理がなされる。ここで、ステップ３７０でセット済みの最新の照合電圧が左側第１照合電圧である。この左側第１照合電圧は、上述のごとく、左側の両第１発光ダイオード、即ち左側の両発光ダイオード９０ａ、１００ａに対応することから、上記コンピュータプログラムは、上記第２実施形態と同様にステップ３１０からステップ３１１に進む。これに伴い、両発光ダイオード９０ａ、１００ａが発光駆動回路２３０ａにより発光駆動されて、各発光部９１ａ、１０１ａから各透明カバー１１０ａ、１１０ｂを通して光を出射する。なお、上記コンピュータプログラムは、ステップ３１１の処理後、ステップ３４０に戻る。
【０１５２】
然る後、各障害釘５１ｂ〜５１ｆが、上記第２実施形態と同様に、順次、遊技球Ｓにより、単一の導電膜８０に電気的に接続されると、左側コンパレータ４４０が、左側電圧保持回路４００からから順次出力される左側保持電圧毎に、当該左側保持電圧を左側照合電圧発生回路４２０から順次生ずる左側照合電圧と比較する。
【０１５３】
そして、上記左側保持電圧毎に、換言すれば、分圧回路３５０からの分圧電圧ＶＬ２〜分圧電圧ＶＬ６毎に、左側照合電圧発生回路４２０から順次生ずる左側照合電圧のうちのいずれかの左側照合電圧に基づき左側コンパレータ４４０からの比較信号のレベルがＬレベルからＨレベルに変化したとき、ステップ３５０におけるＹＥＳとの判定、ステップ３６０におけるＹＥＳとの判定及びステップ３７０における照合電圧のセット処理が、上述と同様に繰り返される。
【０１５４】
ここで、左側照合電圧発生回路４２０からの左側第２照合電圧〜左側第６照合電圧が、順次、ステップ３７０でセットされる。
【０１５５】
これに伴い、ステップ３７０におけるセット処理毎に、上述と同様にステップ３８０におけるＹＥＳとの判定がなされる。そして、この判定毎に、各ステップ３１２〜ステップ３１６の処理が、順次、ステップ３１０における判定処理を介して、なされる。これは、上述のようにステップ３７０で順次セットされる左側第２照合電圧〜左側第６照合電圧が分圧回路３５０からの分圧電圧ＶＬ２〜分圧電圧ＶＬ６にそれぞれ等しくかつ障害釘５１ｂ〜障害釘５１ｆに対応することから明らかである。
【０１５６】
このため、左側両第２発光ダイオード（左側両発光ダイオード９０ｂ、１００ｂ）〜
左側両第６発光ダイオード（左側両発光ダイオード９０ｆ、１００ｆ）が、両発光ダイオード毎に、順次、左側発光駆動回路２３０ａ〜左側発光駆動回路２３０ｆにより駆動される。従って、左側両発光ダイオード９０ｂ、１００ｂ〜左側両発光ダイオード９０ｆ、１００ｆが、両発光ダイオード毎に、順次、発光して各透明カバー１１０ａ、１１０ｂを通して光を出射する。
【０１５７】
一方、左側ユニットＵＬに代えて、右側ユニットＵＲにおいて、一連の障害釘５２ａ〜５２ｆのいずれかの障害釘が上記第３実施形態と同様に導電膜１３０と電気的に接続されたときには、右側電圧保持回路４１０は、上記いずれかの障害釘に対応する分圧回路３６０の上記同一側端子を介し分圧電圧を受けて右側保持電圧として保持する。例えば、障害釘５２ａが導電膜１３０と電気的に接続されたとき、右側電圧保持回路４１０は、分圧回路３６０の同一側端子（両抵抗３６１、３６２の共通端子）から分圧電圧ＶＲ１を受けて右側保持電圧として保持する。
【０１５８】
しかして、このように保持された右側保持電圧が右側コンパレータ４５０に出力されると、この右側保持電圧は、右側コンパレータ４５０により、右側照合電圧発生回路４３０から順次発生する右側の第１〜第６の照合電圧と比較される。これに伴い、右側保持電圧が、右側照合電圧発生回路４３０から順次発生する右側の第１〜第６の照合電圧よりも低い間では、右側コンパレータ４５０は、Ｌレベルの比較信号を繰り返し発生する。
【０１５９】
このような過程においては、ステップ３４０におけるＬレベルの比較信号のセット処理及びステップ３５０におけるＮＯとの判定処理が繰り返される。そして、右側保持電圧が、右側照合電圧発生回路４３０からの一照合電圧以上になると、右側コンパレータ４５０は、Ｈレベルの比較信号を発生する。このため、ステップ３５０においてＹＥＳと判定される。
【０１６０】
この判定に伴い、ステップ３６０において、ステップ３３０における右側コンパレータ４５０の最新の比較信号はＬレベルであることから、ＹＥＳと判定される。ついで、ステップ３７０において、上述したステップ３４０にてセット済みの最新の比較信号に後続する右側コンパレータ４５０からのＨレベルの比較信号の発生根拠となる右側照合電圧発生回路４３０からの右側照合電圧がセットされる。
【０１６１】
ここで、この右側照合電圧は、上記一照合電圧であって、上述した右側コンパレータ４５０からのＨレベルの比較信号に対応する右側電圧保持回路４１０からの右側保持電圧に対応する。現段階において、この右側保持電圧は、分圧回路３６０の両直列抵抗３６１、３６２の共通端子である同一側端子から障害釘５２ａ、遊技球及び単一の電電膜１３０を通り右側電圧保持回路４１０に入力する分圧電圧ＶＲ１に相当する。そして、現段階において、上記一照合電圧は、右側第１照合電圧であるものとする。この右側第１照合電圧は、上述のごとく、右側両第１発光ダイオード（両発光ダイオード１４０ａ、１５０ａ）に対応するとともに、分圧電圧ＶＲ１に等しい。
【０１６２】
ついで、上述のごとくステップ３７０でセットした最新の照合電圧は、右側第１照合電圧であることから、ステップ３８０において、ＮＯと判定される。
【０１６３】
このようにステップ３８０におけるＮＯとの判定がなされた後は、上記第２実施形態と同様にステップ３２０における判定処理がなされる。ここで、ステップ３７０でセット済みの最新の照合電圧が右側第１照合電圧である。この右側第１照合電圧は、上述のごとく、右側の両第１発光ダイオード、即ち右側の両発光ダイオード１４０ａ、１５０ａに対応することから、上記コンピュータプログラムは、上記第２実施形態と同様にステップ３２０からステップ３２１に進む。これに伴い、両発光ダイオード１４０ａ、１５０ａが発光駆動回路２６０ａにより発光駆動されて、各発光部１４１ａ、１５１ａから各透明カバー１６０ａ、１６０ｂを通して光を出射する。なお、上記コンピュータプログラムは、ステップ３２１の処理後、ステップ３４０に戻る。
【０１６４】
然る後、各障害釘５２ａ〜５２ｆが、上記第２実施形態と同様に、順次、遊技球Ｓにより、単一の導電膜１３０に電気的に接続されると、右側コンパレータ４５０が、右左側電圧保持回路４１０からから順次出力される右側保持電圧毎に、当該右側保持電圧を右側照合電圧発生回路４１０から順次生ずる左側照合電圧と比較する。
【０１６５】
そして、上記右側保持電圧毎に、換言すれば、分圧回路３６０からの分圧電圧ＶＲ２〜分圧電圧ＶＲ６毎に、右側照合電圧発生回路４３０から順次生ずる右側照合電圧のうちのいずれかの右側照合電圧に基づき右側コンパレータ４５０からの比較信号のレベルがＬレベルからＨレベルに変化したとき、ステップ３５０におけるＹＥＳとの判定、ステップ３６０におけるＹＥＳとの判定及びステップ３７０における照合電圧のセット処理が、上述と同様に繰り返される。
【０１６６】
ここで、右側照合電圧発生回路４３０からの右側第２照合電圧〜左側第６照合電圧が、順次、ステップ３７０でセットされる。
【０１６７】
これに伴い、ステップ３７０におけるセット処理毎に、上述と同様にステップ３８０におけるＹＥＳとの判定がなされる。そして、この判定毎に、各ステップ３２２〜ステップ３２６の処理が、順次、ステップ３２０における判定処理を介して、なされる。これは、上述のようにステップ３７０で順次セットされる右側第２照合電圧〜左側第６照合電圧が分圧回路３６０からの分圧電圧ＶＲ２〜分圧電圧ＶＲ６にそれぞれ等しくかつ障害釘５２ｂ〜障害釘５２ｆに対応することから明らかである。
【０１６８】
このため、右側両第２発光ダイオード（右側両発光ダイオード１４０ｂ、１５０ｂ）〜
左側両第６発光ダイオード（左側両発光ダイオード１４０ｆ、１５０ｆ）が、両発光ダイオード毎に、順次、左側発光駆動回路２６０ａ〜左側発光駆動回路２６０ｆにより駆動される。従って、左側両発光ダイオード１４０ｂ、１５０ｂ〜左側両発光ダイオード１４０ｆ、１５０ｆが、両発光ダイオード毎に、順次、発光して各透明カバー１６０ａ、１６０ｂを通して光を出射する。
【０１６９】
以上述べたように、上記第３実施形態における左右両側スイッチング回路２１０ａ、２５０ａ、左右両側時間幅信号発生回路２１０、２５０及び左右両側の発光ダイオード特定データ（図９及び図１０参照）に代えて、左右両側電圧保持回路４００、４１０、左右両側照合電圧発生回路４２０、４３０及び左右両側コンパレータ４４０、４５０を採用しても、マイクロコンピュータ２２０による図１５及び図１６に示す処理のもと、一連の障害釘５１ａ〜５１ｆ或いは一連の障害釘５２ａ〜５２ｆに対する遊技球Ｓの衝突経路が、上記第３実施形態と同様の作用効果を達成しつつ、良好に表示され得る。
（第５実施形態）
図１７は、本発明の第５実施形態の要部を示している。この第５実施形態では、上記第４実施形態にて述べた左右両側照合電圧４２０、４３０に代えて、それぞれ、左右両側Ｄ−Ａ変換器４２０ａ、４３０ａが採用されている。
【０１７０】
これに伴い、この第５実施形態では、上述した左右両側照合電圧４２０、４３０の各クロック回路及び各アップカウンタに代わる左右両側内部アップカウンタ（図示しない）及び内部クロック回路が、上記第４実施形態にて述べたマイクロコンピュータ２２０に内蔵されている。しかして、これら左右両側内部アップカウンタは、それぞれ、マイクロコンピュータ２２０の作動開始に伴い、上記内部クロック回路からのクロックパルス信号をカウントアップして、このカウントアップ毎にアップカウントデータを、左右両側Ｄ−Ａ変換器４２０ａ、４３０ａに出力する。なお、クロックパルス信号のカウントアップ数が６に達するごとに、上記左右両側内部アップカウンタは、当該各アップカウントデータをクリアして再度カウントアップを開始する。
【０１７１】
しかして、左側Ｄ−Ａ変換器４２０ａは、マイクロコンピュータ２２０の左側内部アップカウンタからのアップカウントデータごとに、このアップカウントデータを第１〜第６のアナログ電圧（第１〜第６の左側照合電圧）に順次変換して左側コンパレータ４４０に出力する。また、右側Ｄ−Ａ変換器４３０ａは、マイクロコンピュータ２２０の右側内部アップカウンタからのアップカウントデータごとに、このアップカウントデータを第１〜第６のアナログ電圧（第１〜第６の右側照合電圧）に順次変換して右側コンパレータ４５０に出力する。その他の構成は、上記第４実施形態と同様である。
【０１７２】
このように構成した本第５実施形態では、マイクロコンピュータ２２０がステップ３７０（図１５参照）における処理を行うにあたり、当該マイクロコンピュータ２２０の左側或いは右側内蔵アップカウンタの出力に基づき、左側或いは右側の照合電圧がセットされる。
【０１７３】
また、上記第４実施形態と同様に、左側或いは右側電圧保持回路４００或いは４１０に保持された左側或いは右側の保持電圧は、左側或いは右側のコンパレータ４４０或いは４５０により、左側或いは右側のＤ−Ａ変換器４２０ａ或いは４３０ａから順次発生する左側或いは右側の第１〜第６の照合電圧と比較される。
【０１７４】
然る後は、上記第４実施形態と同様のマイクロコンピュータ２２０による処理がなされる。その結果、本第５実施形態においても、上記第４実施形態と同様の作用効果が達成され得る。
（第６実施形態）
図１８は、本発明の第６実施形態の要部を示している。この第６実施形態においては、上記第１〜第３の実施形態のいずれかにて述べた球衝突経路表示装置Ｕが、左右両側ユニットＵＬ、ＵＲにて、上記第１〜第３の実施形態のいずれかにて述べたスタートチャッカー４０ｃの左右両側とは異なり、遊技盤Ｂｂの盤面のうちその頂部において、当該盤面の左右方向中央を基準に左右に対称的に配設されている。
【０１７５】
ここで、左側ユニットＵＬは、両側透明カバー１１０ａ、１１０ｂにて遊技板２０の前方を臨むとともに一連の障害釘５１ａ〜５１ｆにて遊技板２０の頂部から左側下方へ傾斜して並ぶように、支持板７０にて、遊技板２０の頂部に設けた開口部２３に嵌装支持されている。一方、右側ユニットＵＲは、両側透明カバー１６０ａ、１６０ｂにて遊技板２０の前方を臨むとともに一連の障害釘５２ａ〜５２ｆにて遊技板２０の頂部から右側下方へ傾斜して並ぶように、支持板１２０にて、遊技板２０の頂部に設けた開口部２４に嵌装支持されている。
【０１７６】
なお、上述した両開口部２３、２４は、上記第１〜第４の実施形態のいずれかにて述べた両開口部２１、２２と同様の開口形状を有するように、遊技盤Ｂｂの盤面のうちその頂部において、両開口部２１、２２とは異なり逆八の字状にて、上記盤面の左右方向中央を基準に左右に対称的に形成されている。その他の構成は上記第１〜第３の実施形態のいずれかと同様である。
【０１７７】
このように構成した本第６実施形態では、上述のごとく、左右両側ユニットＵＬ、ＵＲが、遊技盤Ｂｂの盤面のうちその頂部において、左右に対称的に配設されている。
【０１７８】
このため、遊技盤Ｂｂの球発射口部Ｐから操作ハンドルＨの操作により発射された遊技球Ｓが、ガイドレール３０により案内されて遊技盤Ｂｂの盤面の頂部に向けて転動していく。そして、遊技球Ｓが上記第１〜第３の実施形態のいずれかにて述べた多数の障害釘５３のうちの遊技盤Ｂｂの盤面の頂部近傍に位置する障害釘により、遊技球Ｓが、左側へ反発されて、左側ユニットＵＬの一連の障害釘に、障害釘５１ｆから障害釘５１ａにかけて、順次、衝突するとき、上記第１〜第３の実施形態のいずれかにて述べた左側ユニットＵＬにおける球衝突経路とは逆の球衝突経路となる。
【０１７９】
このような場合でも、上記第１〜第３の実施形態のいずれかにて述べた作動過程とは逆の作動過程を経て、両発光ダイオード９０ｆ、１００ｆから両発光ダイオード９０ａ、１００ａにかけて、順次、発光駆動されて、光を出射する。これにより、左側ユニットＵＬにおける球衝突経路が、上記第１〜第３の実施形態のいずれかと同様に表示される。
【０１８０】
一方、上述とは異なり、遊技球Ｓが、障害釘群５０のうち遊技盤Ｂｂの頂部近傍の障害釘により右側へ反発されて、右側ユニットＵＲの一連の障害釘に、障害釘５２ｆから障害釘５２ａにかけて、順次、衝突するとき、上記第１〜第３の実施形態のいずれかにて述べた右側ユニットＵＲにおける球衝突経路とは逆の球衝突経路となる。
【０１８１】
このような場合でも、上記第１〜第３の実施形態のいずれかにて述べた作動過程とは逆の作動過程を経て、両発光ダイオード１４０ｆ、１５０ｆから両発光ダイオード１４０ａ、１５０ａにかけて、順次、発光駆動されて、光を出射する。これにより、右側ユニットＵＲにおける球衝突経路が、上記第１〜第３の実施形態のいずれかと同様に表示される。
【０１８２】
以上によれば、上述のような両球衝突経路のいずれかの表示が、操作ハンドルＨの操作量との関連で良好に認識され得る。従って、遊技者は、自分の好む側に遊技球Ｓを転動させるように、操作ハンドルＨの操作量を、上述のような両球衝突経路のいずれかの表示に基づき調整し得る。
【０１８３】
なお、本発明の実施にあたり、上記各実施形態に限ることなく、次のような種々の変形例が挙げられる。
（１）球衝突経路表示装置Ｕにおいて、左右両側ユニットＵＬ、ＵＲのうち、例えば、右側ユニットＵＲを廃止してもよい。
（２）左右両側ユニットＵＬ、ＵＲの各一連の障害釘の数は、各一連の発光ダイオードの数と共に、適宜変更してもよい。
（３）左右両側ユニットＵＬ、ＵＲの発光源は、発光ダイオードに限ることなく、ランプ、蛍光放電管等の各種の発光素子であってもよい。
（４）両分圧回路３５０、３６０の直流電源Ｖｃに対する接続は、両直列抵抗３５１、３６１を直流電源Ｖｃの正側端子に接続し、両直列抵抗３５７、３６７を直流電源Ｖｃの負側端子に接地を介して接続するようにしてもよい。
（５）図９及び図１０にて示す左右両側発光ダイオード特定データは、マイクロコンピュータ２２０のＲＯＭに限ることなく、外付けのメモリに記憶してもよい。
（６）左側ユニットＵＬにおいて、各一連の発光ダイオード９０ａ〜９０ｆ、１００ａ〜１００ｆを廃止するとともに、図柄表示装置６０の上記各一連の発光ダイオードに対応する各一連の表示部位にて、当該各一連の発光ダイオードによる球衝突経路表示と同様に、球衝突経路を表示するように図柄表示装置６０を表示作動させるようにしてもよい。また、この図柄表示装置６０の表示作動に代えて、例えば、図柄表示装置６０の枠に設けた各一連のランプを、球衝突経路を表示するように点灯させてもよい。
（７）左右両側ユニットＵＬ、ＵＲの各支持板７０、１２０は、遊技板２０の各一部であってもよい。また、各導電膜８０、１３０は、図柄表示装置６０の枠（絶縁板の表面にメッキを施して形成されている）の各下縁部でもって構成してもよい。この場合、各一連の障害釘としは、上記枠の各下縁部の近傍に位置する各障害釘を利用すればよい。
【図面の簡単な説明】
【０１８４】
【図１】本発明が適用されるパチンコ遊技機の第１実施形態を、前扉の開状態で示す正面図である。
【図２】上記第１実施形態の遊技機本体の拡大正面図である。
【図３】上記第１実施形態の遊技盤の拡大正面図である。
【図４】図３の４−４線に沿う断面図である。
【図５】上記第１実施形態の駆動制御回路の接続構成図である。
【図６】本発明の第２実施形態の要部を示す回路構成図である。
【図７】上記第２実施形態のマイクロコンピュータの作用を示すフローチャートの前段部である。
【図８】上記第２実施形態のマイクロコンピュータの作用を示すフローチャートの後段部である。
【図９】上記第２実施形態の左側発光ダイオード特定データを示す図表である。
【図１０】上記第２実施形態の右側発光ダイオード特定データを示す図表である。
【図１１】本発明の第３実施形態の要部を示す回路構成図である。
【図１２】本発明の第４実施形態の要部を示す回路構成図である。
【図１３】図１２の左側照合電圧発生回路の詳細ブロック図である。
【図１４】図１２の右側照合電圧発生回路の詳細ブロック図である。
【図１５】図１２のマイクロコンピュータの作用を示すフローチャートの前段部である。
【図１６】図１２のマイクロコンピュータの作用を示すフローチャートの後段部である。
【図１７】本発明の第５実施形態の要部を示す回路構成図である。
【図１８】本発明の第６実施形態の要部を示す正面図である。
【符号の説明】
【０１８５】
Ｂｂ…遊技盤、Ｓ…遊技球、ＵＬ…左側ユニット、ＵＲ…右側ユニット、２０…遊技板、
５０…障害釘群、５１ａ〜５１ｆ、５２ａ〜５２ｆ…障害釘、６０…図柄表示装置、
７０、１２０…支持板、８０、１３０…導電膜、
９０ａ〜９０ｆ、１００ａ〜１００ｆ、１４０ａ〜１４０ｆ、１５０ａ〜１５０ｆ…発光ダイオード、
１８０ａ、１８０ｂ…共通配線、１７０…発光駆動回路、
２０１ａ〜２０１ｆ、２０２ａ〜２０２ｆ、２４１ａ〜２４１ｆ、２４２ａ〜２４２ｆ、３５１〜２５７、３６１〜３６７…直列抵抗、
２００ａ、２００ｂ、３５０、３６０…分圧回路、
２１０、２５０…時間幅信号発生回路、
２１０ａ、２５０ａ…スイッチング回路、２２０…マイクロコンピュータ、
２２１、２２２…ＯＲゲート、２２３、２２４、４００、４１０…電圧保持回路、
４２０、４３０…照合電圧発生回路、４２０ａ、４３０ａ…Ｄ−Ａ変換器、
４４０、４５０…コンパレータ。
【図１】
2009022630.tif 000003
【図２】
2009022630.tif 000004
【図３】
2009022630.tif 000005
【図４】
2009022630.tif 000006
【図５】
2009022630.tif 000007
【図６】
2009022630.tif 000008
【図７】
2009022630.tif 000009
【図８】
2009022630.tif 000010
【図９】
2009022630.tif 000011
【図１０】
2009022630.tif 000012
【図１１】
2009022630.tif 000013
【図１２】
2009022630.tif 000014
【図１３】
2009022630.tif 000015
【図１４】
2009022630.tif 000016
【図１５】
2009022630.tif 000017
【図１６】
2009022630.tif 000018
【図１７】
2009022630.tif 000019
【図１８】
2009022630.tif 000020